(57)【要約】【課題】Legacy DMRS及びReduced DMRSを含む複数のDMRSパターンの中から、端末に対して適切なDMRSパターンを選択すること。【解決手段】受信部２１は、上り回線の制御情報を受信し、制御部２３は、制御情報に基づいて、上り回線のDMRS（Demodulation Reference Signal）の複数の配置パターンの中から特定の配置パターンを決定し、DMRS生成部２４は、特定の配置パターンに従ってDMRSを生成する。【選択図】図９
2020022191.tif 000002
【特許請求の範囲】
【請求項１】
PUSCH（Physical Uplink Shared Channel）の割当のために使用される制御情報であって、上り回線のDMRS（Demodulation Reference Signal）のリソース・エレメントへの配置を決定する前記制御情報を、端末に送信する送信部と、
前記制御情報に基づいて前記リソース・エレメントに配置され、前記PUSCHと多重して送信された前記DMRS（Demodulation Reference Signal）を前記端末から受信する受信部と、
受信された前記DMRSに基づいてチャネル推定を行う回路部と、
を具備する通信装置。
【請求項２】
前記制御情報に基づいて、複数の配置パターンのうちの一つの配置が決定され、前記複数の配置パターンは、前記DMRSを配置するリソース・エレメント数が異なる少なくとも２つの配置パターンを含む、
請求項１記載の通信装置。
【請求項３】
前記制御情報に基づいて、複数の配置パターンのうちの一つの配置が決定され、前記複数の配置パターンは、前記DMRSを配置するシンボル数が異なる少なくとも２つの配置パターンを含む、
請求項１記載の通信装置。
【請求項４】
前記制御情報に基づいて、複数の配置パターンのうちの一つの配置が決定され、前記複数の配置パターンは、１スロット又は１サブフレームあたりの前記DMRSを配置するシンボル数が異なる少なくとも２つの配置パターンを含む、
請求項１記載の通信装置。
【請求項５】
前記制御情報に基づいて、複数の配置パターンのうちの一つの配置が決定され、前記複数の配置パターンは、前記DMRSを配置するリソースが、LTE-Aリリース11において上り回線のDMRSが配置されるリソースよりも少ない配置パターンを含む、
請求項１記載の通信装置。
【請求項６】
前記制御情報に基づいて、複数の配置パターンのうちの一つの配置が決定され、前記複数の配置パターンを、上位レイヤで前記端末に通知する、
請求項１記載の通信装置。
【請求項７】
前記制御情報に基づいて、複数の配置パターンのうちの一つの配置が決定され、前記PUSCHが割り当てられた周波数帯域幅よりも短い系列長の前記DMRSを配置する配置パターンを含む、
請求項１記載の通信装置。
【請求項８】
前記制御情報に基づいて、複数の配置パターンのうちの一つの配置が決定され、前記複数の配置パターンは、ホッピングする又はホッピングしない、を含む、
請求項１記載の通信装置。
【請求項９】
前記制御情報は、サイクリックシフト及び直交符号を決定するための情報を含み、前記受信部は、決定された前記サイクリックシフト及び前記直交符号に基づいて生成された前記DMRSを受信する、
請求項１記載の通信装置。
【請求項１０】
ACK/NACKが前記PUSCHと多重して送信される場合、前記受信部は、決定された前記配置に基づいて配置される前記DMRSに隣接して配置された前記ACK/NACKを受信する、
請求項１記載の通信装置。
【請求項１１】
PUSCH（Physical Uplink Shared Channel）の割当のために使用される制御情報であって、上り回線のDMRS（Demodulation Reference Signal）のリソース・エレメントへの配置を決定する前記制御情報を、端末に送信し、
前記制御情報に基づいて前記リソース・エレメントに配置され、前記PUSCHと多重して送信された前記DMRS（Demodulation Reference Signal）を前記端末から受信し、
受信された前記DMRSに基づいてチャネル推定を行う、
通信方法。
【請求項１２】
PUSCH（Physical Uplink Shared Channel）の割当のために使用される制御情報であって、上り回線のDMRS（Demodulation Reference Signal）のリソース・エレメントへの配置を決定する前記制御情報を、端末に送信する処理と、
前記制御情報に基づいて前記リソース・エレメントに配置され、前記PUSCHと多重して送信された前記DMRS（Demodulation Reference Signal）を前記端末から受信する処理と、
受信された前記DMRSに基づいてチャネル推定を行う処理と、
を制御する集積回路。
【発明の詳細な説明】
【技術分野】
【０００１】
本発明は、通信装置、通信方法及び集積回路に関する。
【背景技術】
【０００２】
３ＧＰＰ（3rd Generation Partnership Project Radio Access Network）にて策定されたＬＴＥ（Long Term Evolution） Rel.8 （Release 8）では、上り回線の通信方式としてSC-FDMA（single-carrier frequency-division multiple-access）が採用された(非特許文献1、2、3)。SC-FDMAは、PAPR（Peak-to-Average Power Ratio）が小さく、端末（UE：User Equipment）の電力利用効率が高い。
【０００３】
LTEの上り回線では、データ信号（Physical Uplink Shared Channel：上り回線共有チャネル）及び制御信号（Physical Uplink Control Channel：上り回線制御チャネル）の何れの送信もサブフレーム単位で行われる（非特許文献１）。図１は、Normal cyclic prefixの場合におけるPUSCHのサブフレーム構成例を示す。図１に示すように、１サブフレームは２つの時間スロットからなり、各スロットには複数のSC-FDMAデータシンボルとパイロットシンボル（DMRS（Demodulation Reference Signal）と呼ばれる）とが時間多重される。基地局は、PUSCHを受信すると、DMRSを用いてチャネル推定を行う。その後、基地局は、チャネル推定結果を用いて、SC-FDMAデータシンボルの復調・復号を行う。なお、LTE-A (LTE-Advanced) Rel.10 (Release 10)では、SC-FDMAの拡張版であるDFT-S-OFDM（Discrete-Fourier-Transform Spread Orthogonal Frequency Division Multiplexing）も使用可能となった。DFT-S-OFDMは、図１のように得られたPUSCHを２つのスペクトルに分割し、各スペクトルを異なる周波数にマッピングすることにより、スケジューリングの自由度を拡大する方法である。
【０００４】
PUSCHに多重されるDMRSは、自己相関特性及び相互相関特性の優れたCAZAC（Constant Amplitude Zero Auto-Correlation）系列に基づいて生成される。LTEでは、様々な系列長（帯域幅）であり、相関の大きいCAZAC系列が１つのグループにグルーピングされた３０個の系列グループが定義されている（例えば、図２参照）。各セルには、セル固有のID（セルID）に基づいて、３０個の系列グループの中の１つの系列グループが割り当てられる。これにより、セル間では互いに相関の小さな系列グループが割り当てられることになる。
【０００５】
端末は、所属するセルに割り当てられた系列グループのうち、割り当てられた帯域幅に対応するCAZAC系列を用いてDMRSを生成し、DNRSをPUSCHに時間多重する。これにより、同一セル内の端末間では相関の大きなDMRSが送信され、異なるセルの端末間では相関の小さなDMRSが送信される。ここで、セル間ではDMRSの相関が小さいため、同一タイミングで送信されるDMRSの干渉が生じても、窓関数法又は平均化により干渉を低減することができる。一方、同一セル内では、端末間に異なる周波数又は時間が割り当てられることで直交化させ、互いに干渉が生じないように運用できる。また、端末間に同一の周波数又は時間を割り当てることも可能であり（MU-MIMO（Multi-user multi-input multi-output）と呼ばれる）、この場合、各端末のDMRSに異なるサイクリックシフト（CS）を施したり、PUSCH内の２つのDMRSに端末間で異なる直交符号（OCC（Orthogonal Cover Code））を乗じたりすることで、端末間のDMRSを直交多重することができる。
【０００６】
このように、セル間では、異なる系列グループを用いて互いの干渉を低減することにより、無線リソースの空間的再利用を実現する。また、セル内では、MU-MIMOを適用することにより、無線リソースを効率的に利用することができる。こうすることで、LTEでは、効率の高い上り回線伝送を実現できる。
【０００７】
さらに、LTE-A Rel.11（Release 11）では、所属セルのセルIDに関わらず、任意の端末に任意の系列グループを割り当てることができる、バーチャルセルIDが追加された。
【０００８】
ところで、近年、スマートフォンの普及に伴うモバイルトラフィックの爆発的な増加が起きており、ユーザにストレスの無いモバイルデータ通信サービスを提供するには、飛躍的な無線リソースの利用効率改善が必須である。そこで、LTE-A Rel.12（Release 12）では、小型セルを形成する小型セル基地局を無数に配置する、Small cell enhancementが検討されている（非特許文献４）。Small cell enhancementでは、カバレッジを縮小し、セルあたりの端末数を減らすことにより、各セルが端末あたりに割当可能な無線リソースを拡充でき、端末のデータレートを向上できるというメリットがある。一方、全てのエリアを小型セルで敷き詰めることは非現実的である。また、移動速度の大きな端末を小型セルに接続させると、ハンドオーバの頻度が多くなるという問題がある。したがって、小型セルはカバレッジの大きなマクロセルと重畳するように展開することが考えられている（例えば、図３参照。ヘテロジーニアスネットワーク（HetNet：Heterogeneous network）と呼ばれることもある）。これにより、マクロセルにおいて、カバレッジホールを無くしつつ、あらゆる端末をサポートし、小型セルにおいて、移動速度が小さく高速データ通信サービスを求める端末に対して大容量通信を提供することが可能となる。
【先行技術文献】
【非特許文献】
【０００９】
【非特許文献１】3GPP TS 36.211, “Evolved Universal Terrestrial Radio Access (E-UTRA); Physical channels and modulation,”v.11.1.0
【非特許文献２】3GPP TS 36.212, “Evolved Universal Terrestrial Radio Access (E-UTRA); Multiplexing and channel coding,”v.11.1.0
【非特許文献３】3GPP TS 36.213, “Evolved Universal Terrestrial Radio Access (E-UTRA); Physical layer procedures,”v.11.1.0
【非特許文献４】3GPP TR 36.932, “Scenarios and requirements of LTE small cell enhancements,” v.12.0.0
【発明の概要】
【発明が解決しようとする課題】
【００１０】
Small cell enhancementにおいて検討されているネットワーク構成（例えば図３）には、次のような特徴がある。
（１）小型セルに接続する端末に対する伝搬路の状態及び品質は良いことが多い。これは、小型セル基地局と端末との距離が近い確率が高く、その分、高い受信電力又は高い信号対受信電力比（SNR）によって通信されやすいためである。また、同様の理由から、端末に要求される送信電力は小さい可能性が高い。
（２）小型セルはカバレッジが小さいため、同時に運用される端末数は、マクロセルと比較して少ない。場合によっては、小型セルは１、２端末のみと通信する可能性もある。
（３）小型セルはマクロセルと異なり、均一に配置されない可能性が高い。小型セルは、局所的に高密度に配置されることもあれば、広いエリアに疎に分布する場合もある。
【００１１】
以上の特徴より、Small cell enhancementにおける小型セルと通信する端末の上り回線では、チャネルの状態及び品質が良いため、基地局では十分に精度の高いチャネル推定を行うことができると想定される。また、各小型セル内で同時に運用される端末数が少ないことから、MU-MIMOを適用するメリットは小さくなる。したがって、必ずしも、図１に示すようにPUSCHのサブフレームの１４％以上（全体の１／７）をDMRSとして用いる必要はない。すなわち、小型セルと通信する端末の上り回線では、PUSCHのサブフレーム内のDMRSを減らして、減らした分の無線リソースをデータ（PUSCH）に転用できれば、より高い端末のスループットを達成することができる。
【００１２】
このような背景から、Small cell enhancementでは、PUSCHの一部のDMRSをデータと置き換えることにより、端末あたりかつサブフレームあたりのデータレートを向上させる技術（以下の説明では、「削減DMRS（Reduced DMRS）」と呼ぶ）の適用が検討されている。例えば、図１に示すPUSCHのサブフレームに含まれるDMRSを半分に減らすことができれば、約７％のデータレート向上を実現でき、DMRSを１／４にまで減らすことができれば、１１％近くものデータレート向上を実現できる。
【００１３】
図４は、Rel.11までのDMRS（Legacy DMRS）の１サブフレームにおける配置を示す配置パターン（Legacy DMRS pattern）、及び、Reduced DMRSにおけるDMRSの１サブフレームにおける配置を示す配置パターンの一例（Reduced DMRS pattern (1)〜(4)）を示す。図４に示すように、Reduced DMRS patternでは、Legacy DMRS patternよりもDMRSの割合が少ない。すなわち、Reduced DMRS patternでは、Legacy DMRS patternよりもDMRSがマッピングされるリソースが少ない。
【００１４】
Legacy DMRS pattern（図４Ａ）は、図１に示すサブフレーム構成に対応し、１サブフレーム内に２つのDMRSが配置されるパターンである。
【００１５】
Reduced DMRS pattern (1)及び(2)（図４Ｂ、図４Ｃ）は、それぞれ、Legacy DMRS pattern（図４Ａ）に含まれる２つのDMRSのうち１つをデータで置き換えたパターンである。こうすることで、直交符号（OCC）の適用が困難になるものの、データの割当量を増やしてデータレートを向上させることができる。また、Reduced DMRS pattern (1)及び(2)のPUSCHサブフレームを時間的に連結し、連続して送信すれば、２つのサブフレームにまたがって２つのDMRSを用いることができるので、直交符号による多重も可能となる（例えば、図５Ａ参照）。同様に、Reduced DMRS pattern (2)及び(1)のPUSCHサブフレームを時間的に連結し、連続して送信すれば、直交符号による多重が可能となる（図５Ｂ参照）。更に、図５Ｂでは、図５Ａと比較して、符号を乗算するDMRS間の時間的な距離が小さいので、移動速度の大きな端末に対してMU-MIMOを適用することも可能となる。
【００１６】
Reduced DMRS pattern (3)（図４Ｄ）は、割り当てられた帯域幅よりも短い系列長のDMRSを、SC-FDMAシンボル中に分散マッピングする方法である。DMRSがマッピングされないリソースエレメント（RE（Resource Element））にデータを割り当てることで、Reduced DMRS pattern (1)及び(2)と同様、データレートを向上させることができる。また、Reduced DMRS pattern (3)では、１サブフレーム内の２つの異なるSC-FDMAシンボルにDMRSを配置する構成が維持されるので、Rel.11（図４Ａ）と同様、直交符号による異なる端末間のDMRSの直交多重が可能となる。したがって、Reduced DMRS pattern (3)では、MU-MIMOを適用しやすいというメリットがある。一方、Reduced DMRS pattern (3)では、DMRSとデータとが同一SC-FDMAシンボル中に周波数多重されることを考慮すると、端末のPAPRが大きくなるという懸念がある。しかし、小型セルに接続される端末の送信電力は小さい確率が高いので、端末のPAPRが大きくなることは大きな問題とはならない。また、Reduced DMRS pattern (3)では、DMRSを含む２つのSC-FDMAシンボル間でDMRSがマッピングされるリソースエレメントをずらしてもよい（図示せず）。この場合、２つのSC-FDMAシンボルに含まれるDMRSを用いてチャネル推定値を平均化又は補間することにより、チャネル推定精度を高めることもできる。
【００１７】
Reduced DMRS pattern (4)（図４Ｅ）は、割り当てられた帯域幅よりも短い系列長のDMRSを、SC-FDMAシンボル中に局所マッピングする方法である。Reduced DMRS pattern (4)では、Reduced DMRS pattern (3)と同様の効果が得られる上に、Reduced DMRS pattern (3)と比較して、DMRSがマッピングされた帯域内の周波数方向のチャネル変動を推定しやすいというメリットがある。なお、Reduced DMRS pattern (4)において、DMRSがマッピングされる周波数の位置、及び、２つのSC-FDMAシンボルにおけるDMRSの相対的な周波数位置は、図４Ｅに示す例に限らない。
【００１８】
以上、Reduced DMRSの一例について説明した。
【００１９】
しかしながら、Reduced DMRSは常に有効であるとは限らない。例えば、端末のチャネル品質が良い場合にはReduced DMRSは有効であるが、チャネル品質が悪い場合には、Legacy DMRSを用いてDMRSのエネルギを増やすことにより、チャネル推定精度を高めることが望ましい。また、端末から周辺セルへの大きな与干渉が予想される場合、Legacy DMRSを用いることにより、周辺セルに接続された端末のDMRSに対する与干渉の相関を小さく保つことが必要となる。さらに、Rel.8-11までの機能しかサポートしない端末（Legacy端末）は、Legacy DMRSしか使用できないので、Rel.12の機能をサポートする端末とLegacy端末とに対してMU-MIMOを適用する場合には、Rel.12の機能をサポートする端末に対してもLegacy DMRSを用いることが必須となる。
【００２０】
このようなLegacy DMRSとReduced DMRSとの切替は、上り回線のスケジューリングの柔軟性確保を考慮すると、基地局の判断に応じて柔軟に制御できることが望ましい。また、前述したように（図４Ｂ〜図４Ｅ）に、Reduced DMRSとして複数の配置パターンを設けることが考えられる。よって、端末のチャネル品質、周囲の状況、又は、端末が要求するデータレートに応じて、Legacy DMRS、及び、複数のReduced DMRSパターンを含む複数のDMRSパターンの中から端末に適したDMRSパターンを選択できることが必要となる。
【００２１】
本発明の目的は、Legacy DMRS及びReduced DMRSを含む複数のDMRSパターンの中から、端末に対して適切なDMRSパターンを選択することができる通信装置、通信方法及び集積回路を提供することである。
【課題を解決するための手段】
【００２２】
本発明の一態様に係る通信装置は、PUSCH（Physical Uplink Shared Channel）の割当のために使用される制御情報であって、上り回線のDMRS（Demodulation Reference Signal）のリソース・エレメントへの配置を決定する前記制御情報を、端末に送信する送信部と、前記制御情報に基づいて前記リソース・エレメントに配置され、前記PUSCHと多重して送信された前記DMRS（Demodulation Reference Signal）を前記端末から受信する受信部と、受信された前記DMRSに基づいてチャネル推定を行う回路部と、を具備する構成を採る。
【００２３】
本発明の一態様に係る通信方法は、PUSCH（Physical Uplink Shared Channel）の割当のために使用される制御情報であって、上り回線のDMRS（Demodulation Reference Signal）のリソース・エレメントへの配置を決定する前記制御情報を、端末に送信し、前記制御情報に基づいて前記リソース・エレメントに配置され、前記PUSCHと多重して送信された前記DMRS（Demodulation Reference Signal）を前記端末から受信し、受信された前記DMRSに基づいてチャネル推定を行う。
【００２４】
本発明の一態様に係る集積回路は、PUSCH（Physical Uplink Shared Channel）の割当のために使用される制御情報であって、上り回線のDMRS（Demodulation Reference Signal）のリソース・エレメントへの配置を決定する前記制御情報を、端末に送信する処理と、前記制御情報に基づいて前記リソース・エレメントに配置され、前記PUSCHと多重して送信された前記DMRS（Demodulation Reference Signal）を前記端末から受信する処理と、受信された前記DMRSに基づいてチャネル推定を行う処理と、を制御する。
【発明の効果】
【００２５】
本発明によれば、Legacy DMRS及びReduced DMRSを含む複数のDMRSパターンの中から、端末に対して適切なDMRSパターンを選択することができる。
【図面の簡単な説明】
【００２６】
【図１】上り回線のサブフレーム構成を示す図
【図２】DMRSの系列グループ割当を示す図
【図３】Small cell enhancementにおけるネットワーク構成を示す図
【図４】Legacy DMRSパターン及びReduced DMRSパターンの一例を示す図
【図５】Reduced DMRSパターンを用いたOCCによる直交多重を示す図
【図６】本発明の実施の形態１に係る通信システムを示す図
【図７】本発明の実施の形態１に係る基地局の要部構成を示すブロック図
【図８】本発明の実施の形態１に係る基地局の構成を示すブロック図
【図９】本発明の実施の形態１に係る端末の要部構成を示すブロック図
【図１０】本発明の実施の形態１に係る端末の構成を示すブロック図
【図１１】本発明の実施の形態１に係るDPIとDMRSパターンとの対応を示す図
【図１２】本発明の実施の形態１に係るDPIとDMRSパターンとバーチャルセルIDとの対応を示す図
【図１３】本発明の実施の形態１に係るDPIとDMRSパターンとベース系列グループホッピングのON/OFFとの対応を示す図
【図１４】本発明の実施の形態１に係るDMRSパターンの通知例を示す図
【図１５】本発明の実施の形態１に係るDMRSパターンの通知例を示す図
【図１６】本発明の実施の形態２に係るPUSCHの割当帯域と、RIVの各パラメータとの関係を示す図
【図１７】本発明の実施の形態２に係る各割当帯域幅に対応するDMRSパターンを示す図
【図１８】本発明の実施の形態２に係る各割当帯域幅に対応するDMRSパターンを示す図
【図１９】本発明の実施の形態２に係る割当帯域幅とDMRSパターンとの対応を示す図
【図２０】本発明の実施の形態２に係る各割当帯域幅に対応するDMRSパターンを示す図
【図２１】本発明の実施の形態２に係る割当帯域幅の開始位置とDMRSパターンとの対応を示す図
【図２２】本発明の実施の形態２に係る割当帯域幅の各開始位置に対応するDMRSパターンを示す図
【図２３】本発明の実施の形態３に係るA-SRSトリガビットとDMRSパターンとの対応を示す図
【図２４】本発明の実施の形態４に係る制御チャネルとDMRSパターンとの対応を示す図
【図２５】本発明の実施の形態５に係るCS fieldとDMRSパターンとの対応を示す図
【図２６】本発明の実施の形態５に係るCS fieldとDMRSパターンとの対応を示す図
【図２７】本発明の実施の形態６に係るデータマッピング順序を示す図
【図２８】本発明の他の実施の形態に係るACK/NACK多重時のDMRSパターンを示す図
【発明を実施するための形態】
【００２７】
以下、本発明の各実施の形態について図面を参照して詳細に説明する。なお、各実施の形態において、同一の構成要素には同一の符号を付し、その説明は重複するので省略する。
【００２８】
（実施の形態１）
［通信システムの概要］
図６は、本実施の形態に係る通信システムを示す。図６に示す通信システムは、セル内の基地局１００と１つ又は複数の端末２００とから構成される。なお、図６では、基地局１００は、マクロセル基地局であってもよく、小型セル基地局であってもよい。また、通信システムは、マクロセル基地局と小型セル基地局とが混在するHetNetシステムであってもよく、複数の基地局が協調して端末と通信を行うCoMP（Coordinated multipoint）システムであってもよい。マクロセルと小型セルとは異なる周波数で運用されていても、同一周波数で運用されていてもよい。
【００２９】
［基地局１００の構成］
図７は、基地局１００の要部を示すブロック図である。
【００３０】
図７に示す基地局１００は、制御信号生成部１１、送信部１２、受信部１３、チャネル推定部１４及び受信信号処理部１５を備える。
【００３１】
制御信号生成部１１は、端末２００向けの制御信号を生成し、送信部１２は、生成された制御信号をアンテナを介して送信する。制御信号には、PUSCHの割当を指示するUL grantが含まれる。UL grantは複数のビットから構成されており、周波数割当リソース（RB：Resource Block）、変調・符号化方法、SRS（Sounding Reference Signal）トリガなどを指示する情報を含む。さらに、UL grantには、割り当てたPUSCHを送信する際のDMRSの配置パターン（DMRSパターン）を指定するためのDMRS pattern indicator（DPI）が含まれる。DPIは１つ又は複数のビットから構成される。なお、DPIで選択可能なDMRSパターンの候補は、上位レイヤによって予め端末２００へ通知されるか、規定されているものとする。また、制御信号は、下り回線制御チャネル（PDCCH（Physical downlink control channel）又はEPDCCH（Enhanced physical downlink control channel））を用いて送信される。なお、EPDCCHは、EPDCCH setと呼ばれることもあり、PDCCHとは異なる新たな制御チャネルとして、PDSCH内に配置される。
【００３２】
すなわち、制御信号生成部１１は、上り回線のDMRSの複数の配置パターンのうち、端末２００に指示する配置パターンに基づいて、上り回線の制御情報を生成し、送信部１２は、生成された制御情報を送信する。
【００３３】
受信部１３は、端末２００がUL grantに従って送信したPUSCHをアンテナを介して受信し、データ及びDMRSを取り出す。チャネル推定部１４は、DMRSを用いてチャネル推定を行う。受信信号処理部１５は、推定されたチャネル推定値に基づいて、データの復調・復号を行う。
【００３４】
図８は、基地局１００の詳細を示すブロック図である。
【００３５】
図８に示す基地局１００は、制御部１０１、制御情報生成部１０２、符号化部１０３、変調部１０４、マッピング部１０５、IFFT（Inverse Fast Fourier Transform）部１０６、CP（Cyclic Prefix）付加部１０７、無線送信部１０８、無線受信部１０９、CP除去部１１０、FFT（Fast Fourier Transform）部１１１、デマッピング部１１２、CSI（Channel State Information）測定部１１３、チャネル推定部１１４、等化部１１５、IDFT（Inverse Discrete Fourier Transform）部１１６、復調部１１７、復号部１１８、判定部１１９を備える。
【００３６】
これらのうち、制御部１０１、制御情報生成部１０２、符号化部１０３及び変調部１０４が主に制御信号生成部１１（図７）として機能し、マッピング部１０５、ＩＦＦＴ部１０６、ＣＰ付加部１０７、無線送信部１０８が主に送信部１２（図７）として機能する。また、無線受信部１０９、ＣＰ除去部１１０、ＦＦＴ部１１１及びデマッピング部１１２が主に受信部１３（図７）として機能し、チャネル推定部１１４がチャネル推定部１４として機能し、等化部１１５、ＩＤＦＴ部１１６、復調部１１７、復号部１１８及び判定部１１９が主に受信信号処理部１５（図７）として機能する。
【００３７】
図８に示す基地局１００において、制御部１０１は、端末２００の状態又は受信状況に応じて、端末２００に対するPUSCHのサブフレーム割当を決定する。例えば、制御部１０１は、判定部１１９から入力される端末２００の受信データの判定結果（誤りの有無。ACK又はNACK）、ＣＳＩ測定部１１３から入力される端末２００のチャネル情報（CSI）等に基づいて、端末２００に対するＰＵＳＣＨのサブフレーム割当を決定する。このとき、制御部１０１は、端末２００に指示する周波数リソースブロック（RB）割当情報、符号化方法、変調方式、初回送信か再送かを示す情報、ハイブリッド自動再送要求（HARQ）のプロセス番号、及び、DMRSのパターン情報（DPI）などを決定し、決定した情報を制御情報生成部１０２に出力する。
【００３８】
また、制御部１０１は、端末２００向けの制御信号に対する符号化レベルを決定し、決定した符号化レベルを符号化部１０３に出力する。符号化レベルは、送信する制御信号に含まれる制御情報の量又は端末２００の状態に応じて決定される。
【００３９】
また、制御部１０１は、端末２００向けの制御信号をマッピングする無線リソース要素（RE）を決定し、決定したREをマッピング部１０５に指示する。
【００４０】
制御情報生成部１０２は、制御部１０１から入力される端末２００向けの制御情報を用いて、制御情報ビット列を生成し、生成された制御情報ビット列を符号化部１０３へ出力する。なお、制御情報が複数の端末２００向けに送信されることもあるため、制御情報生成部１０２は、各端末２００向けの制御情報に、各端末２００の端末IDを含めてビット列を生成する。例えば、制御情報には、宛先端末２００の端末IDでマスキングされたCRCビットが付加される。
【００４１】
符号化部１０３は、制御部１０１から指示された符号化レベルを用いて、制御情報生成部１０２から入力される制御情報ビット列を符号化する。符号化部１０３は、得られる符号化ビット列を変調部１０４へ出力する。
【００４２】
変調部１０４は、符号化部１０３から入力される符号化ビット列を変調して、得られたシンボル列をマッピング部１０５へ出力する。
【００４３】
マッピング部１０５は、変調部１０４からシンボル列として入力された制御信号を、制御部１０１から指示される無線リソースにマッピングする。なお、制御信号をマッピング対象となる制御チャネルは、PDCCHであってもよく、EPDCCHであってもよい。マッピング部１０５は、制御信号がマッピングされたPDCCH又はEPDCCHを含む下り回線サブフレームの信号をIFFT部１０６に入力する。
【００４４】
IFFT部１０６は、マッピング部１０５から入力された下り回線サブフレームに対してIFFTを適用し、周波数領域の信号系列を時間波形に変換する。IFFT部１０６は、変換した時間波形をCP付加部１０７へ出力する。
【００４５】
CP付加部１０７は、IFFT部１０６から入力される時間波形にCPを付加し、CPが付加された信号を無線送信部１０８へ出力する。
【００４６】
無線送信部１０８は、CP付加部１０７から入力される信号に対してD/A変換及びアップコンバート等の送信処理を行い、送信処理後の信号をアンテナを介して端末２００へ送信する。
【００４７】
無線受信部１０９は、端末２００から送信された上り回線信号（PUSCH）をアンテナを介して受信し、受信した信号に対してダウンコンバート及びA/D変換等の受信処理を行い、受信処理後の信号をCP除去部１１０へ出力する。
【００４８】
CP除去部１１０は、無線受信部１０９から入力される信号（時間波形）からCPに相当する波形を取り除き、CP除去後の信号をFFT部１１１へ出力する。
【００４９】
FFT部１１１は、CP除去部１１０から入力される信号（時間波形）に対してFFTを適用し、周波数領域の信号系列（サブキャリア単位の周波数要素）に分解して、PUSCHのサブフレームに対応する信号を取り出す。ＦＦＴ部１１１は、得られた信号をデマッピング部１１２へ出力する。
【００５０】
デマッピング部１１２は、入力された信号から端末２００に割り当てたPUSCHのサブフレーム部分を抽出する。また、デマッピング部１１２は、抽出した端末２００のPUSCHのサブフレームをDMRSとデータシンボル（SC-FDMAデータシンボル）とに分解し、DMRSをチャネル推定部１１４に出力し、データシンボルを等化部１１５に出力する。さらに、デマッピング部１１２は、端末２００が当該PUSCHのサブフレームでサウンディング参照信号（SRS）を送信している場合、SRSを抽出して、抽出したSRSをCSI測定部１１３に出力する。なお、SRSが送信される場合、PUSCHのサブフレームの最終データシンボルがSRSで置き換えられているので、デマッピング部１１２は、SRSとデータシンボルとを分離すればよい。
【００５１】
CSI測定部１１３は、デマッピング部１１２からSRSが入力された場合、SRSを用いてCSI測定を行う。CSI測定部１１３は、得られたCSI測定結果を制御部１０１に出力する。
【００５２】
チャネル推定部１１４は、デマッピング部１１２から入力されるDMRSを用いてチャネル推定を行う。チャネル推定部１１４は、得られたチャネル推定値を等化部１１５に出力する。
【００５３】
等化部１１５は、チャネル推定部１１４から入力されるチャネル推定値を用いて、デマッピング部１１２から入力されるSC-FDMAデータシンボルの等化を行う。等化部１１５は、等化後のSC-FDMAデータシンボルをIDFT部１１６へ出力する。
【００５４】
IDFT部１１６は、等化部１１５から入力される、周波数領域のSC-FDMAデータシンボルに対して、割当帯域幅に応じた帯域幅のIDFTを適用し、時間領域信号へ変換する。IDFT部１１６は、得られた時間領域信号を復調部１１７へ出力する。
【００５５】
復調部１１７は、IDFT部１１６から入力される時間領域信号に対してデータ復調を行う。具体的には、復調部１１７は、端末２００に指示した変調方式に基づいてシンボル系列をビット系列へ変換し、得られたビット系列を復号部１１８へ出力する。
【００５６】
復号部１１８は、復調部１１７から入力されるビット系列に対して誤り訂正復号を行い、復号後のビット系列を判定部１１９へ出力する。
【００５７】
判定部１１９は、復号部１１８から入力されるビット系列に対して誤り検出を行う。誤り検出は、ビット系列に付加されたCRCビットを用いて行われる。判定部１１９は、CRCビットの判定結果が誤り無しであれば、受信データを取り出し、制御部１０１にACKを通知する。一方、判定部１１９は、CRCビットの判定結果が誤り有りであれば、制御部１０１にNACKを通知する。
【００５８】
［端末２００の構成］
図９は、端末の要部を示すブロック図である。
【００５９】
図９に示す端末２００は、受信部２１、制御信号抽出部２２、制御部２３、DMRS生成部２４及び送信部２５を備える。
【００６０】
受信部２１は、PDCCH又はEPDCCHにおいて端末２００向けに送信された制御信号（UL grant）を受信し、制御信号抽出部２２は、制御信号から、PUSCHサブフレームの割当に関する情報を取り出す。具体的には、制御信号抽出部２２は、予め設定された制御チャネルにおいて、制御信号の割当候補をブラインド復号し、端末２００の端末IDでマスキングされたCRCビットが付加された制御信号を復号できたら、当該制御信号を、端末２００宛の制御情報として抽出する。制御情報には、周波数リソースブロック（RB）割当情報、変調方式、初回送信か再送かを示す情報、HARQのプロセス番号、A-SRSトリガ（Aperiodic SRS送信要求）、及びDMRSのパターン情報（DPI）などが含まれる。
【００６１】
制御部２３は、抽出した制御情報（UL grant）に基づいて、PUSCHのサブフレーム構成を決定する。例えば、制御部２３は、UL grantに含まれるDPIの値に応じて、使用するDMRSパターンを決定する。DMRS生成部２４は、制御部２３からの指示に従ってDMRSを生成し、送信部２５は、制御部２３からの指示に従って、DMRSを含むPUSCHサブフレームの信号を送信する。
【００６２】
すなわち、受信部２１は、上り回線の制御情報を受信し、制御部２３は、制御情報に基づいて、上り回線のDMRSの複数の配置パターンの中から特定の配置パターンを決定し、DMRS生成部２４は、特定の配置パターンに従ってDMRSを生成する。
【００６３】
図１０は、端末２００の詳細を示すブロック図である。
【００６４】
図１０に示す端末２００は、無線受信部２０１、CP除去部２０２、FFT部２０３、制御信号抽出部２０４、制御部２０５、符号化部２０６、変調部２０７、DMRS生成部２０８、SRS生成部２０９、多重部２１０、DFT（Discrete Fourier Transform）部２１１、マッピング部２１２、IFFT部２１３、CP付加部２１４及び無線送信部２１５を備える。
【００６５】
これらのうち、無線受信部２０１、CP除去部２０２及びFFT部２０３が主に受信部２１（図９）として機能する。また、符号化部２０６、変調部２０７、SRS生成部２０９、多重部２１０、DFT部２１１、マッピング部２１２、IFFT部２１３、CP付加部２１３及び無線送信部２１５が主に送信部２５（図９）として機能する。また、制御信号抽出部２０４は制御信号抽出部２２として機能し、制御部２０５は制御部２３として機能し、DMRS生成部２０８はDMRS生成部２４として機能する。
【００６６】
図１０に示す端末２００において、無線受信部２０１は、基地局１００（図８）から送信された制御信号（PDCCH又はEPDCCH）をアンテナを介して受信し、制御信号に対してダウンコンバート及びA/D変換等の受信処理を行い、受信処理後の制御信号をCP除去部２０２へ出力する。
【００６７】
CP除去部２０２は、無線受信部２０１から入力される制御信号において、PDCCH又はEPDCCHを含む下り回線サブフレームの信号からCPを除去し、CP除去後の信号をFFT部２０３へ出力する。
【００６８】
FFT部２０３は、CP除去部２０２から入力された信号（下り回線サブフレーム）に対してFFTを適用し、周波数領域信号へ変換する。ＦＦＴ部２０３は、周波数領域信号を、制御信号抽出部２０４へ出力する。
【００６９】
制御信号抽出部２０４は、FFT部２０３から入力される周波数領域信号（PDCCH又はEPDCCH）に対してブラインド復号を行い、制御信号の復号を試みる。端末２００宛の制御信号には、端末２００の端末IDでマスキングされたCRCが付加されている。したがって、制御信号抽出部２０４は、ブラインド復号した結果、CRC判定がOKであればその制御信号を抽出して制御部２０５へ出力する。
【００７０】
制御部２０５は、制御信号抽出部２０４から入力される制御信号に基づいて、PUSCH送信の制御を行う。
【００７１】
具体的には、制御部２０５は、制御信号に含まれるPUSCHのRB割当情報に基づいて、PUSCH送信時のRB割当をマッピング部２１２に指示する。また、制御部２０５は、制御信号に含まれる符号化方法及び変調方式の情報に基づいて、PUSCH送信時の符号化方法及び変調方式を符号化部２０６及び変調部２０７にそれぞれ指示する。また、制御部２０５は、制御信号に含まれるSRSトリガに基づいて、一定時間経過後にSRSを送信するか否かをSRS生成部２０９に指示する。このSRSトリガで指示されるSRSは、UL grantで指示されるPUSCHサブフレームに多重されて送信される場合もあり、そのサブフレームよりも後の時間に送信される場合もある。また、制御部２０５は、制御信号に含まれるDPIに基づいて、PUSCH送信時のDMRSパターンを決定し、決定したDMRSパターンをDMRS生成部２０８に指示する。
【００７２】
符号化部２０６は、入力された送信データに対して端末IDでマスキングされたCRCビットを付加し、誤り訂正符号化を行う。なお、符号化部２０６が使用する符号化率及び符号語長などは制御部２０５から指示される。符号化部２０６は、符号化後のビット系列を変調部２０７へ出力する。
【００７３】
変調部２０７は、符号化部２０６から入力されるビット系列を変調する。なお、変調部２０７が使用する変調レベル(すなわち変調多値数)などは制御部２０５から指示される。変調部２０７は、変調されたデータシンボル系列を多重部２１０に出力する。
【００７４】
DMRS生成部２０８は、制御部２０５から指示されたDMRSパターンに従ってDMRSを生成し、DMRSを多重部２１０に出力する。
【００７５】
SRS生成部２０９は、制御部２０５からの指示に従ってSRSを生成し、SRSを多重部２１０に出力する。なお、SRSの送信タイミングはUL grantが指示するPUSCHサブフレームと同一であるとは限らない。
【００７６】
多重部２１０は、変調部２０７、DMRS生成部２０８及びSRS生成部２０９からそれぞれ入力されるデータシンボル系列、DMRS及びSRSを多重し、多重後の信号をDFT部２１１へ出力する。
【００７７】
DFT部２１１は、多重部２１０から入力される信号に対してDFTを適用して、当該信号をサブキャリア単位の周波数成分の信号に分解し、得られる周波数成分の信号をマッピング部２１２へ出力する。
【００７８】
マッピング部２１２は、制御部２０５からの指示に従って、DFT部２１１から入力される信号（すなわちデータシンボル系列、DMRS及びSRS）を、割り当てられたPUSCHサブフレーム内の時間・周波数リソースにマッピングする。マッピング部２１２は、PUSCHサブフレームの信号をIFFT部２１３へ出力する。
【００７９】
IFFT部２１３は、マッピング部２１２から入力される周波数領域のPUSCHサブフレームの信号に対してIFFTを適用し、時間領域信号へ変換する。IFFT部２１３は、得られた時間領域信号をCP付加部２１４へ出力する。
【００８０】
CP付加部２１４は、IFFT部２１３から入力される時間領域信号（IFFT部２１３の出力単位毎）にCPを付加し、CP付加後の信号を無線送信部２１５へ出力する。
【００８１】
無線送信部２１５は、CP付加部２１４から入力された信号に対してD/A変換及びアップコンバート等の送信処理を行い、送信処理後の信号をアンテナを介して基地局１００へ送信する。
【００８２】
［動作］
本実施の形態の基地局１００及び端末２００の処理フローをステップ（１）〜（４）で説明する。
【００８３】
ステップ（１）：基地局１００は、PUSCHの送受信よりも前に、複数のDMRSパターンが指定され得ることを端末２００に通知する。指定され得るDMRSパターンは、予め規定されてもよく、複数の候補の中から基地局１００が端末２００に対して上位レイヤを介して通知してもよい。指定され得るDMRSパターンは、Rel.8-10で使用されてきたLegacy DMRS pattern（例えば、図４Ａ参照）に加え、例えば、図４Ｂ〜図４Ｅ及び図５に示すようなReduced DMRS patternを含む。
【００８４】
なお、ステップ（１）における端末２００への通知は、PUSCHの送受信を行う基地局１００によって行われてもよく、PUSCHの送受信を行う基地局以外の基地局１００によって行われてもよい。例えば、PUSCHの送受信を行う基地局１００が小型セル基地局であり、ステップ（１）の通知を行う基地局がマクロセル基地局であってもよい。
【００８５】
ステップ（２）：基地局１００は、PDCCH又はEPDCCHを介して、端末２００に制御信号（UL grant）を送信し、PUSCHの割当を指示する。UL grantには、DMRSパターンを指示するDMRS pattern indicator（DPI）が含まれる。DPIは複数のDMRSパターン候補の中から何れか１つの特定のDMRSパターンを端末２００に指示する。すなわち、基地局１００（制御部１０１）は、端末２００に指示する特定のDMRSパターンに基づいてDPIを生成する。
【００８６】
図１１は、DPIが２ビットの例を示す。図１１では、DPIの各値に対して、Legacy DMRS pattern、Reduced DMRS pattern (1)〜(3)がそれぞれ対応付けられている。
【００８７】
なお、DPIを含むUL grantの端末２００への送信は、PUSCHの送受信を行う基地局１００によって行われてもよく、PUSCHの送受信を行う基地局以外の基地局１００によって行われてもよい。例えば、PUSCHの送受信を行う基地局１００が小型セル基地局であり、UL grantの送信を行う基地局がマクロセル基地局であってもよい。
【００８８】
ステップ（３）：端末２００は、ステップ（２）において受信したPDCCH又はEPDCCHをブラインド復号し、自端末宛の制御信号（UL grant）を得る。UL grantにDPIが含まれる場合、端末２００（制御部２０５）は、DPIに基づいて、複数のDMRSパターン候補の中から、端末２００が用いる特定のDMRSパターンを決定する。そして、端末２００（DMRS生成部２０８）は、特定のDMRSパターンに従ってPUSCH送信に用いるDMRSを生成する。
【００８９】
ステップ（４）：基地局１００は、ステップ（３）において端末２００が送信したPUSCHを受信し、PUSCHサブフレームから抽出したDMRSに基づいてチャネル推定を行う。基地局１００は、得られたチャネル推定値を用いて、データシンボルの等化、復調及び復号を行う。
【００９０】
データを正しく復号できたと判定した場合、基地局１００は、端末２００にACKを送信し、次のデータの送信を促す。データの復号結果に誤りが含まれると判定した場合、基地局１００は、端末２００にNACKを送信し、HARQの再送を促す。
【００９１】
［効果］
以上のように、基地局１００は、下り回線制御チャネル（PDCCH又はEPDCCH）において、UL grantに含まれるDPIを用いて、予め規定された複数のDMRSパターンの中の何れかを端末２００へ指示する。端末２００は、基地局１００から送信されるUL grantに含まれるDPIに従って、PUSCHサブフレームにおけるDMRSパターンを特定する。
【００９２】
こうすることで、端末２００のDMRSパターンを動的に切り替えることができる。よって、本実施の形態によれば、Legacy DMRS及びReduced DMRSを含む複数のDMRSパターンの中から、端末２００に対して適切なDMRSパターンを選択することができる。
【００９３】
例えば、基地局１００は、端末２００の状況又は環境に応じて、高いチャネル推定精度で受信可能なDMRSパターン（Legacy DMRS pattern）と、オーバーヘッドの小さいDMRSパターン（Reduced DMRS pattern）とを動的に切り替えることができる。よって、本実施の形態によれば、高信頼性と通信容量の増大とを柔軟に実現できる。
【００９４】
また、例えば、基地局１００は、Legacy端末（例えばRel.10の機能をサポートする端末）がセル内に存在する場合、端末２００に対してLegacy DMRSの使用を指示して、Legacy端末と端末２００とをCS及びOCCにより空間多重してもよい。また、基地局１００は、端末２００に対してReduced DMRSの使用を指示して、端末２００に低オーバーヘッドのPUSCHのサブフレームを用いてデータを送信させてもよい。このようにして、基地局１００は、端末２００に対する上り回線のスケジューリングを柔軟に指示できる。したがって、本実施の形態によれば、スケジューリングの制約による特性劣化を回避できる。
【００９５】
また、特に、小型セルでは同時通信する端末数が少ないため、下り回線制御チャネルは混雑していないことが想定される。さらに、小型セルでは、端末と小型セル基地局との距離が比較的近いため、制御信号にDPI用のビットを新たに追加してもカバレッジの減少は問題とならない。すなわち、本実施の形態によれば、DPIを用いてDMRSパターンを通知することにより、大きなデメリットも無く、DMRSパターンの切り替えを柔軟に実現できる。
【００９６】
［バリエーション１］
バリエーション１では、DPIは、DMRSパターンと、バーチャルセルID（VCID）又はセルID（PCID）を示す。
【００９７】
具体的には、基地局１００は、端末２００に対して、指示され得るDMRSパターンのみでなく、各DPIの値に対応するバーチャルセルIDも予め通知する。そして、基地局１００は、DPIを用いて、DMRSパターン、及び、そのDMRSパターンに対応するバーチャルセルID（又はセルID）の使用を指示する。端末２００は、DPIに基づいてDMRSパターン及びバーチャルセルID（又はセルID）を特定し、DMRSを生成する。
【００９８】
図１２は、DPIと、DMRSパターン及びバーチャルセルIDとの対応関係を示す。例えば、図１２では、DPIが00の場合、端末２００は、Legacy DMRSパターン、及び、セルIDに対応するベース系列を用いてDMRSを生成する。また、DPIが10の場合、端末２００は、Reduced DMRS (Pattern 2)、及び、バーチャルセルID 1（VCID 1）に対応するベース系列を用いてDMRSを生成する。DPIが01の場合及び11の場合についても同様である。
【００９９】
上述したように、Reduced DMRSが使用されるのは端末２００のチャネル状態が良い場合（例えば端末２００と基地局１００との距離が比較的近い場合）が多い。そのような場合は端末２００が小型セル基地局に接続しているときに生じやすい。また、小型セル基地局は、多数高密度に配置されたり、低密度かつ疎に配置されたりと、不均一な配置であることが考えられる。
【０１００】
したがって、複数の小型セル基地局に対して、同一のバーチャルセルIDを通知することにより干渉を直交化したり、異なるバーチャルセルIDを通知することにより干渉をランダム化したりして、バーチャルセルIDを用いて小型セル間の干渉制御がより柔軟に行われる可能性がある。つまり、Reduced DMRSとバーチャルセルIDとは同時に運用される可能性が高い。
【０１０１】
そこで、図１２に示すように、DPIを用いてDMRSパターンとバーチャルセルIDとが基地局１００から端末２００へ同時に通知されることで、Reduced DMRS及びバーチャルセルIDの双方の使用をDPIのみで指示できるため、オーバーヘッドの増加を抑えつつ、小型セル間の干渉制御をより柔軟かつ適切に実現することができる。
【０１０２】
［バリエーション２］
バリエーション２では、DPIは、DMRSパターンと、ベース系列グループホッピングのON/OFFとを示す。
【０１０３】
ここで、ベース系列グループホッピングは、Rel.8から導入されており、DMRSの送信毎に異なるベース系列グループを用いてDMRSを生成するように、ベース系列グループのグループ番号をホッピングすることにより、セル間の干渉をより低減させる方法である。一方、ベース系列グループホッピングを行うと、PUSCHのサブフレーム内の２つのDMRSの各々に使用されるベース系列が異なるため、OCCによる端末間多重ができないという問題がある。したがってRel.10では、上位レイヤからの通知によって、ベース系列グループホッピングを準静的にON/OFFする機能が追加され、OCCの多重が実現されていた。
【０１０４】
そこで、基地局１００は、端末２００に対して、指示され得るDMRSパターンのみでなく、各DPIの値に対応するベース系列グループホッピングのON/OFFを予め通知する。そして、基地局１００は、DPIを用いて、DMRSパターン、及び、そのDMRSパターンに対応するベース系列グループホッピングのON/OFFを指示する。端末２００は、DPIに基づいてDMRSパターン及びベース系列グループホッピングのON/OFFを特定し、DMRSを生成する。
【０１０５】
図１３は、DPIと、DMRSパターン及びベース系列グループホッピングのON/OFFとの対応関係を示す。例えば、図１３では、DPIが00の場合、端末２００は、Legacy DMRSを用いて、かつ、ベース系列グループホッピングをONにしてDMRSを生成する。また、DPIが11の場合、端末２００は、Reduced DMRS (Pattern 2)を用いて、かつ、ベース系列グループホッピングをOFFにしてDMRSを生成する。DPIが01の場合及び10の場合についても同様である。
【０１０６】
図１４は、各サブフレームにおいて、図１３に示すDPIを用いてDMRSパターン及びベース系列グループホッピングON/OFFが通知された場合の一例を示す。なお、図１４では、４つのサブフレームを示し、各サブフレームは２つのスロットから構成される。
【０１０７】
図１４に示すように、端末２００は、１つ目及び4つ目のサブフレームにおいてDPI=“00”が指示されているので、Legacy DMRSを用いつつ、サブフレーム内の２つのDMRSのベース系列グループをホッピングさせる（系列グループ番号：#3,#15）。これにより、他セル干渉のランダム化が可能となる。
【０１０８】
また、図１４に示すように、端末２００は、２つ目のサブフレームにおいてDPI=“01”が指示されているので、Legacy DMRSを用いて、ベース系列グループのホッピングを行わずに、セルID又はバーチャルセルIDによって定まる系列（ここでは系列グループ番号：#3）を用いてDMRSを生成する。これにより、OCCによる干渉の直交化が可能となる。
【０１０９】
また、図１４に示すように、端末２００は、３つ目のサブフレームにおいてDPI=“11”が指示されているので、ベース系列グループのホッピングを行わないで、Reduced DMRSを用いてDMRSを生成する。これにより、Reduced DMRSによるオーバーヘッドの低減が可能となる。
【０１１０】
ベース系列グループホッピングをONにすることで干渉のランダム化が可能となるが、OCCによる干渉の直交化ができなくなる。一方、ベース系列グループホッピングをOFFにするとOCCによる直交化が可能となるが、干渉がランダム化されない。これに対して、図１４に示すように、基地局１００は、DPIを用いてDMRSパターンとベース系列グループホッピングのON/OFFとを同時に指示する。これにより、端末２００は、端末２００の状態、周辺セルへの与干渉、又は、空間多重される端末の有無に応じて、DMRSパターン及びベース系列グループホッピングのON/OFFを動的に切り替えることができる。よって、バリエーション２によれば、干渉抑圧及びスループットの増大をより柔軟に実現することができる。
【０１１１】
［バリエーション３］
バリエーション２（図１４）では、ベース系列グループホッピングがOFFのとき、セルID又はバーチャルセルIDによって定まる系列が全てのスロットで使用された（図１４では系列グループ番号：#3）。これに対して、バリエーション３では、或るサブフレームにおいてベース系列グループホッピングがOFFのとき、端末２００は、系列グループホッピングがONの場合に当該サブフレーム内の１つ目のスロットで使用されるDMRSの系列グループを、当該サブフレーム内の２つのスロットで使用する。
【０１１２】
図１５は、各サブフレームにおいて、図１３に示すDPIを用いてDMRSパターン及びベース系列グループホッピングON/OFFが通知された場合の一例を示す。なお、図１５では、図１４と同様、４つのサブフレームを示し、各サブフレームは２つのスロットから構成される。
【０１１３】
図１５に示すように、２つ目のサブフレームにおいてDPI=“01”が指示されているので、ベース系列グループのホッピングは行われない。一方、２つ目のサブフレームにおいてベース系列グループのホッピングが行われる場合の１つ目のスロットで使用されるDMRSの系列グループ番号は#6である。そこで、端末２００は、２つ目のサブフレームにおいて、Legacy DMRSを用いて、ベース系列グループのホッピングを行わずに、系列グループ番号#6を用いてDMRSを生成する。
【０１１４】
同様に、図１５に示すように、３つ目のサブフレームにおいてDPI=“11”が指示されているので、ベース系列グループのホッピングは行われない。一方、３つ目のサブフレームにおいてベース系列グループのホッピングが行われる場合の１つ目のスロットで使用されるDMRSの系列グループ番号は#7である。そこで、端末２００は、３つ目のサブフレームにおいて、ベース系列グループのホッピングを行わないで、Reduced DMRS及び系列グループ番号#7を用いてDMRSを生成する。
【０１１５】
すなわち、バリエーション２（図１４）では、系列グループホッピングがOFFの場合には系列グループ番号#3のDMRSが常に使用されたのに対して、バリエーション３（図１５）では、系列グループホッピングがOFFの場合（２つ目、３つ目のサブフレーム）でも、系列グループ番号は変更される。
【０１１６】
こうすることで、何れの端末２００であっても、最低でも１ｍｓ（１サブフレーム）毎に使用するDMRSの系列グループが切り替わるので、バリエーション２の効果に加え、周辺他セルに与える干渉のランダム化効果が得られる。
【０１１７】
（実施の形態２）
［通信システムの概要］
本実施の形態に係る通信システムは、実施の形態１（図６）と同様、基地局１００と１つ又は複数の端末２００とから構成される。
【０１１８】
ただし、本実施の形態では、実施の形態１と異なり、DMRSパターンを指示するDPIは用いられず、UL grantに含まれるResource Indication Value（RIV）の値によって、RB割当情報とDMRSパターンとが同時に指示される。すなわち、複数のDMRSパターンは、基地局１００から端末２００へ送信される制御情報に含まれる上り回線の既存のRB割当情報であるRIVの各値に対応付けられている。つまり、DMRSパターンは、既存のRIVを用いて通知される。
【０１１９】
具体的には、端末２００には、指示され得る複数のDMRSパターンが予め通知され、かつ、RIVの各値に対応するDMRSパターンが予め通知されている。そして、端末２００は、基地局１００から通知されたRIVの値に基づいてPUSCHサブフレーム送信に使用するRBを特定するとともに、当該RIVに対応するDMRSパターンを、PUSCHサブフレームで用いるDMRSパターンとして決定する。なお、指示され得る複数のDMRSパターン、及び、RIVの各値に対応するDMRSパターンは、基地局１００が端末２００に対して上位レイヤ等で予め通知してもよく、規定された組み合わせのみ使用してもよい。
【０１２０】
［基地局１００の構成］
基地局１００の制御部１０１は、端末２００に対するPUSCHのサブフレーム割当を決定する。この際、制御部１０１は、端末２００に割り当てるRB、及び、端末２００へ通知するDMRSパターンの双方を考慮して、RB割当情報（RIV）の値を決定する。
【０１２１】
［端末２００の構成］
端末２００の制御部２０５は、UL grantに含まれるRIVの値に基づいて、PUSCH送信時のRB割当をマッピング部２１２に指示する。更に、制御部２０５は、RIVの値に基づいて、PUSCH送信時のDMRSパターンを決定する。
【０１２２】
［動作］
本実施の形態の基地局１００及び端末２００の動作について説明する。本実施の形態に係る基地局１００及び端末２００の処理フローは、ステップ（１）〜（４）とほぼ同様である。
【０１２３】
ただし、実施の形態１と異なり、本実施の形態では、UL grantにはDPIは含まれない。代わりに、基地局１００は、端末２００に指示するDMRSパターンに基づいてRIVの値を設定し、端末２００は、UL grantに含まれるRIVの値に基づいて、PUSCHサブフレームで使用されるDMRSパターンを決定する。
【０１２４】
なお、RIVは、システム帯域幅に応じたビット数（例えばPUSCHが周波数ホッピングされない場合、Log2(NRBUL(NRBUL+1)/2)ビット)で通知される情報であり、RIVの値は次式（１）に基づいて決定される(PUSCHの周波数ホッピングが無い場合)。
【数１】
2020022191.tif 000003
【０１２５】
ここで、NRBULは上り回線のシステム帯域幅を表し、LCRBsは端末２００の割当RB数を表し、RBSTARTは端末２００の割当RBにおいて周波数の最も低いRBを表す。また、式（１）は、連続帯域割当の場合に用いられる。式（１）に示すRIVの値から、端末２００に割り当てられたRB数とRBの位置とが一意に定まる（図１６参照）。なお、LCRBsは2，3，5の倍数しか選択できないという制約がある。このため、Rel.11までの仕組みでは、2，3，5の倍数以外のLCRBsに該当するRIVの値は指示されない。
【０１２６】
［効果］
このように、基地局１００は、UL grantに含まれる、周波数リソース割当情報ビットを指示する周波数リソース割当情報（RIV）を用いて、複数のDMRSパターンの中の何れかを端末２００へ通知する。端末２００は、受け取ったUL grantに含まれるRIVの値に基づいて、複数のDMRSパターンの中から、使用するDMRSパターンを特定する。
【０１２７】
上述したように、端末２００に対してReduced DMRSが指示されるのは、小型セル基地局と通信する場合である可能性が高い。また、小型セルでは同時通信する端末数が少なく、かつ、小型セルと通信する端末のチャネル品質は良い可能性が高い。したがって、小型セルでは、周波数スケジューリングの粒度を細かくしても、周波数スケジューリングゲインは大きくできない。言い換えれば周波数スケジューリングの粒度を減らし、その分DMRSパターンを特定するようにしても、デメリットの影響はほぼ生じない。したがって本実施の形態のように、RIVの値に応じて端末２００で使用されるDMRSパターンを特定することで、DMRSパターンの柔軟な切替が可能となる。
【０１２８】
また、本実施の形態では、既存のRIVを用いてDMRSパターンの通知が行われるので、DMRSパターンを指示する追加ビットが不要となり、オーバーヘッドの増加が生じない。
【０１２９】
次に、本実施の形態における基地局１００及び端末２００のDMRSパターンの通知・特定の具体例１〜４について詳細に説明する。
【０１３０】
［具体例１］
基地局１００は、DMRSパターンを考慮して、RIVにおける割当RB数（つまり、割当帯域幅）LCRBsの値を偶数又は奇数の何れかに設定する。端末２００は、UL grantに含まれるRIVにおける、割当RB数（割当帯域幅）LCRBsの値が偶数であるか奇数であるかに応じて、使用するDMRSパターンを特定する。
【０１３１】
例えば、奇数個のRBの割当を示すRIVにはLegacy DMRS patternが対応付けられ、偶数個のRBの割当を示すRIVにはReduced DMRS patternが対応付けられる。すなわち、端末２００は、基地局１００から、LCRBsが奇数個のRBに相当するRIVが通知された場合にはLegacy DMRSを用い、LCRBsが偶数個のRBに相当するRIVが通知された場合にはReduced DMRSを用いる。
【０１３２】
なお、LCRBsに示される割当RB数（偶数個及び奇数個）と、Reduced DMRSを使用するか否かとの対応付けは、予め規定されるか、上位レイヤの通知などによって、基地局１００と端末２００との間で共有されている。また、RIVによって指定されるReduced DMRSのパターンは、予め規定されてもよく、上位レイヤ等で基地局１００から端末２００へ通知されてもよい。
【０１３３】
図１７は、具体例１におけるDMRSパターンの通知例を示す。図１７では、Reduced DMRSとして、例えば、図４Ｄに示すReduced DMRS pattern (3)が用いられる。
【０１３４】
図１７に示すように、UL grantで通知されるRIVにおけるLCRBsが奇数個（1RB又は3RB）の場合、DMRSパターンとしてLegacy DMRS patternが用いられる。一方、UL grantで通知されるRIVにおけるLCRBsが偶数個（2RB又は4RB）の場合、DMRSパターンとしてReduced DMRS pattern (3)が用いられる。
【０１３５】
なお、図１７では、LCRBsが偶数個の場合に対応付けられたReduced DMRSパターンを１種類としているが、LCRBsの異なる値（例えば2RBと4RB）に対して、複数のReduced DMRSパターンの中から異なるパターンをそれぞれ対応付けてもよい。
【０１３６】
ここで、既存のDMRSでは、整数のLCRBsに対応した系列長が定義されている。したがって、LCRBsが偶数の場合、LCRBsの半分の系列長のDMRSは存在する。一方、LCRBsが奇数の場合、LCRBsを２のべき乗（例えば２）で割った系列長を定義することはできない。
【０１３７】
したがって、LCRBsが偶数の場合には、端末２００は、LCRBsの半分の系列長のDMRSとなるようなReduced DMRS patternを用いたとしても、LCRBsの半分の系列長の既存のDMRSを用いることができる。すなわち、図１７に示すように、LCRBsが偶数の場合のみReduced DMRSが使用され、LCRBsが奇数の場合にはLegacy DMRSが使用されるように規定することで、端末２００は、既存の系列長のDMRSのみを用いて、PUSCHの半分の帯域幅のDMRSを生成することができる。換言すると、Reduced DMRSを用いる際に、既存の系列長以外の系列長のDMRSを新たに定義する必要が無い。
【０１３８】
また、Reduced DMRSは、小型セルで使用される可能性が高く、チャネル品質の周波数選択性が弱く、かつ、同時通信する端末数が少ないことが想定される。言い換えると、Reduced DMRSは、周波数スケジューリングの粒度が粗くてもデメリットが生じない環境で使われる可能性が高い。したがって、RIVにおける割当RB数（割当帯域幅）とDMRSパターンとを対応付けることにより、RIVの柔軟性に制約が生じるものの、この制約によるデメリットの影響はほぼ無く、Reduced DMRSの動的通知を実現することができる。
【０１３９】
［具体例１のバリエーション］
ここでは、奇数個のRBの割当を示すRIVには、当該奇数個＋１個のRBの割当及びReduced DMRS patternが対応付けられ、偶数個のRBの割当を示すRIVには、当該偶数個のRBの割当及びLegacy DMRS patternが対応付けられている。
【０１４０】
すなわち、端末２００は、基地局１００から、LCRBsが奇数個のRBに相当するRIVが通知された場合にはRB数を(LCRBs+1)としてReduced DMRSを用い、LCRBsが偶数個のRBに相当するRIVが通知された場合にはRB数をLCRBsとしてLegacy DMRSを用いる。
【０１４１】
なお、LCRBsに示される割当RB数（偶数個及び奇数個）と、Reduced DMRSを使用するか否かとの対応付けは、予め規定されるか、上位レイヤの通知などによって、基地局１００と端末２００との間で共有されている。また、RIVによって指定されるReduced DMRSのパターンは、予め規定されてもよく、上位レイヤ等で基地局１００から端末２００へ通知されてもよい。
【０１４２】
図１８は、具体例１のバリエーションにおけるDMRSパターンの通知例を示す。図１８では、図１７と同様、Reduced DMRSとして、例えば、図４Ｄに示すReduced DMRS pattern (3)が用いられる。
【０１４３】
図１８に示すように、UL grantで通知されるRIVにおけるLCRBsが偶数個（2RB又は4RB）の場合、割当帯域幅はLCRBsに従って設定され、DMRSパターンとしてLegacy DMRSのパターンが用いられる。一方、図１８に示すように、UL grantで通知されるRIVにおけるLCRBsが奇数個（1RB又は3RB）の場合、割当帯域幅は（LCRBs+1。つまり、2RB又は4RB）に従って設定され、DMRSパターンとしてReduced DMRS pattern (3)が用いられる。
【０１４４】
こうすることで、具体例１（図１７）とは異なり、Reduced DMRSを通知可能な端末２００に対して指定できない割当帯域幅（奇数個の割当RB数）が生じるものの、同一割当帯域幅（偶数個の割当RB数）において、Legacy DMRSとReduced DMRSとが選択可能となる。すなわち、端末２００は、同一割当帯域幅においてLegacy DMRS及びReduced DMRSを含む複数のDMRSパターンの中から１つのDMRSパターンを選択することができるので、DMRSパターン選択のために帯域幅を変更する必要がない。したがってスケジューラの回路構成及びアルゴリズムをより簡易にできる。
【０１４５】
なお、端末２００は、LCRBsが奇数個のRBに相当するRIVが通知された場合にはRB数を(LCRBs+1)としてLegacy DMRSを用い、LCRBsが偶数個のRBに相当するRIVが通知された場合にはRB数をLCRBsとしてReduced DMRSを用いてもよい。
【０１４６】
また、奇数個のRBの割当を示すRIVには、当該奇数個−１個のRBの割当及びReduced DMRS patternが対応付けられてもよい。
【０１４７】
［具体例２］
基地局１００は、DMRSパターンを考慮して、RIVにおける割当RB数（割当帯域幅）LCRBsの値を設定する。端末２００は、UL grantに含まれるRIVにおける、割当RB数（割当帯域幅）LCRBsの値と所定値とを比較して、使用するDMRSパターンを特定する。
【０１４８】
例えば、所定値x以下の割当帯域幅を示すRIVにはLegacy DMRS patternが対応付けられ、所定値xより広い割当帯域幅を示すRIVにはReduced DMRS patternが対応付けられる。すなわち、端末２００は、基地局１００から通知されるRIVにおいて、LCRBsが0<LCRBs≦xを満たす場合にはLegacy DMRSを用いて、LCRBsがx<LCRBs≦NRBULを満たす場合にはReduced DMRSを用いる。
【０１４９】
つまり、端末２００に割り当てられた帯域幅の範囲毎に、端末２００が使用するDMRSパターンが切り替えられる。
【０１５０】
なお、x<LCRBs≦NRBULを満たす場合にReduced DMRSを使用するか否かは、予め規定されるか、上位レイヤの通知などによって、基地局１００と端末２００との間で共有されているものとする。また、LCRBsによって指定されるReduced DMRSのパターンは、予め規定されてもよく、上位レイヤ等で基地局１００から端末２００へ通知されてもよい。
【０１５１】
また、所定値x（0<x<NRBUL）は、予め規定されるか、上位レイヤなどの通知によって、基地局１００と端末２００との間で共有されているものとする。
【０１５２】
また、xとして、複数の値（x1, x2, …）が通知され、LCRBsの値に応じて複数のDMRSパターンの中から端末２００が使用するDMRSパターンを切り替えてもよい。
【０１５３】
図１９及び図２０は、複数の所定値x1、x2、x３を用いる場合のDMRSパターンの通知例を示す。
【０１５４】
図１９では、x1=2、x2=8、x３=15が設定されている。NRBUL=25とする。この場合、0<LCRBs≦x1を満たす場合（LCRBs=1〜2）にはLegacy DMRSが用いられ、x1<LCRBs≦x2を満たす場合（LCRBs=3〜8）にはReduced DMRS pattern (1)が用いられ、x2<LCRBs≦x3を満たす場合（LCRBs=9〜15）にはReduced DMRS pattern (2)が用いられ、x3<LCRBs≦NRBULを満たす場合（LCRBs=16〜25）にはReduced DMRS pattern (3)が用いられる。なお、ここでは、図２０に示すように、図１９に示すReduced DMRS pattern (1)は、図４Ｂに示すReduced DMRS pattern (1)に対応し、Reduced DMRS pattern (2)、(3)は、Legacy DMRS pattern（図４Ａ）に含まれる２つのDMRSのうち１つをデータで置き換え、かつ、残ったDMRSの周波数リソースにおいて、割り当てられた帯域幅よりも短い系列長のDMRSを、SC-FDMAシンボル中に分散マッピングする方法である。
【０１５５】
このように、具体例２では、RIVが所定値（図１９及び図２０ではx1）以下のRB分の帯域幅を指定する場合にはLegacy DMRSが選択され、RIVが所定値より多いRB分の帯域幅を指定する場合には１つ又は複数のReduced DMRSパターンから１つのDMRSパターンが選択される。
【０１５６】
Reduced DMRSを使用できる端末２００は小型セルに接続している場合、又は、チャネル品質が良い場合が多い。このような場合には、端末２００に割り当てられる帯域幅が広い可能性が高い。すなわち、端末２００のチャネル状態が良いほど、広い帯域が割り当てられやすい。また、端末２００のチャネル状態が良いほど、少ないエネルギ又はより少ないリソースのDMRSを用いて十分な精度のチャネル推定が可能である。
【０１５７】
よって、具体例２のように、端末２００の割当帯域幅毎にDMRSのパターンを変えて、その際、広い帯域が割り当てられるほどDMRSのエネルギ又はリソースをより少なくし、その分をデータに割り当てることが可能となる。すなわち、図１９及び図２０に示すように、割当帯域幅がより広いほど、サブフレーム内におけるDMRSの密度がより小さくなる。
【０１５８】
このように、チャネル品質が良く、高データレートが必要な端末２００には、広い割当帯域幅を指示し、かつ、Reduced DMRSを指示することにより、より多くのデータリソースを与え、高いスループットを実現することができる。一方、高いチャネル推定精度が要求される端末２００、又は、Legacy端末とのMU-MIMOが要求される端末２００には、狭い割当帯域幅を指示し、かつ、Legacy DMRSを指示することにより、チャネル推定精度の向上又はMU-MIMOの適用を実現できる。
【０１５９】
［具体例３］
基地局１００は、DMRSパターンを考慮して、RIVにおける割当帯域の最も低いRB位置RBSTARTの値を設定する。端末２００は、UL grantに含まれるRIVにおける、RB位置RBSTARTの値と所定値とを比較して、使用するDMRSパターンを特定する。
【０１６０】
例えば、割当帯域の最も低い周波数が所定値yより高いRIVにはLegacy DMRS patternが対応付けられ、割当帯域の最も低い周波数が所定値y以下であるRIVにはReduced DMRS patternが対応付けられる。すなわち、端末２００は、基地局１００から通知されるRIVにおいて、RBSTARTが0≦RBSTART≦yを満たす場合にはReduced DMRSを用いて、RBSTARTがy<RBSTART<NRBULを満たす場合にはLegacy DMRSを用いる。
【０１６１】
つまり、端末２００に割り当てられた帯域の開始位置毎に、端末２００が使用するDMRSパターンが切り替えられる。
【０１６２】
なお、0≦RBSTART≦yを満たす場合にReduced DMRSを使用するか否かは、予め規定されるか、上位レイヤの通知などによって、基地局１００と端末２００との間で共有されているものとする。また、RBSTARTによって指定されるReduced DMRSのパターンは、予め規定されてもよく、上位レイヤ等で基地局１００から端末２００へ通知されてもよい。
【０１６３】
また、所定値y（0≦y<NRBUL）は、予め規定されるか、上位レイヤなどの通知によって、基地局１００と端末２００との間で共有されているものとする。
【０１６４】
また、yとして、複数の値（y1, y2, …）が通知され、RBSTARTの値に応じて複数のDMRSパターンの中から端末２００が使用するDMRSパターンを切り替えてもよい。
【０１６５】
図２１及び図２２は、複数の所定値y1、y2、y３を用いる場合のDMRSパターンの通知例を示す。
【０１６６】
図２１では、y1=10、y2=15、y３=20が設定されている。NRBUL=25とする。この場合、0≦RBSTART≦y1を満たす場合（RBSTART=0〜10）にはReduced DMRS pattern (3)が用いられ、y1<RBSTART≦y2を満たす場合（RBSTART=11〜15）にはReduced DMRS pattern (2)が用いられ、y2<RBSTART≦y3を満たす場合（RBSTART=16〜20）にはReduced DMRS pattern (1)が用いられ、y3<RBSTART≦NRBULを満たす場合（RBSTART=21〜25）にはLegacy DMRSが用いられる。なお、ここでは、具体例２と同様、図２２に示すように、図２１に示すReduced DMRS pattern (1)は、図４Ｂに示すReduced DMRS pattern (1)に対応し、Reduced DMRS pattern (2)、(3)は、Legacy DMRS pattern（図４Ａ）に含まれる２つのDMRSのうち１つをデータで置き換え、かつ、残ったDMRSの周波数リソースにおいて、割り当てられた帯域幅よりも短い系列長のDMRSを、SC-FDMAシンボル中に分散マッピングする方法である。
【０１６７】
このように、具体例３では、RIVが所定値（図２１及び図２２ではy3）より大きいRB開始位置を指定する場合にはLegacy DMRSが選択され、RIVが所定値以下のRB開始位置を指定する場合には１つ又は複数のReduced DMRSパターンから１つのDMRSパターンが選択される。
【０１６８】
上述したように、PUSCHのリソース割当は割当RBの開始位置（最も低い周波数のRB番号。起点）と、開始位置からの帯域幅（高周波数方向に連続するRB数）とによって指示される（図１６参照）。したがって、基地局１００は、端末２００に対して広帯域を割り当てるには、開始位置RBSTARTが低い周波数のRB番号になるようにRIVを通知しなければならない（例えば、図２２参照）。また、Reduced DMRSは、チャネル品質の良い端末２００に指示される可能性が高く、より広帯域のRB割当が行われる環境で有効であることが想定される。
【０１６９】
これに対して、具体例３では、RBSTARTが低い周波数のRB番号の場合にReduced DMRSが指示され、RBSTARTが高い周波数のRB番号の場合にLegacy DMRSが指示される。つまり、具体例３によれば、基地局１００は、端末２００に対して、Reduced DMRSを指示する場合には広帯域のRB割当が可能となり、Legacy DMRSを指示する場合には狭帯域のRB割当が可能となる。
【０１７０】
これにより、端末２００は、Reduced DMRSをより広帯域のRB割当時に使用することが可能となる。よって、広帯域が割り当てられるような状態の良い端末２００のオーバーヘッドを減らして、より高いスループットを達成することができる。
【０１７１】
また、具体例３では、基地局１００は、高い周波数のRBに、Legacy DMRSを指示される端末２００の割当を集中させることができる。これにより、Legacy端末とReduced DMRSを使用可能な端末２００（低い周波数のRBに割り当てられる端末）との間の干渉を防ぐことができる。
【０１７２】
［具体例４］
上述したように、Rel.11以前のPUSCHにおいて、UL grantにより指示できる帯域幅LCRBsは、2，3，5の倍数のRB数に限定される。したがって、例えば、帯域幅(LCRBs)が７ＲＢを示す場合など、通知されることがないRIVの値が一部存在する。
【０１７３】
そこで、具体例４では、基地局１００は、端末２００に対して、Rel.11以前のPUSCHで使用されないRIVの値を用いて、Reduced DMRSの使用を通知する。すなわち、複数のDMRSパターンは、RIVによって割当可能な帯域幅以外の帯域幅（つまり、割当不可能な帯域幅）に対応するRIVの値にそれぞれ対応付けられている。
【０１７４】
すなわち、端末２００は、基地局１００から通知されるRIVが2,3,5の倍数のRB数（帯域幅）以外の値である場合、１つ又は複数のReduced DMRS patternの中から何れか１つのReduced DMRSを決定する。
【０１７５】
なお、Rel.11以前のPUSCHにおいて使用されないRIVが通知された場合にReduced DMRSを使用するか否かは、予め規定されるか、上位レイヤの通知などによって基地局１００と端末２００との間で共有されているものとする。また、RIVによって指定されるReduced DMRSのパターンは、予め規定されてもよく、上位レイヤ等で基地局１００から端末２００へ通知されてもよい。
【０１７６】
また、Reduced DMRSパターンを指示するRIVにおけるLCRBs及びRBSTARTの値は、予め上位レイヤから通知されるものとする。又は、Reduced DMRSパターンを指示するRIVにおけるLCRBs及びRBSTARTの値は、当該RIVの値から識別可能な、実際に指示され得るRIVの値に対応するLCRBsおよびRBSTARTとして使用されてもよい。この場合、１つのRIVを用いて、Reduced DMRSの指示と柔軟な周波数スケジューリングとを同時に実現することが可能となる。
【０１７７】
このように、割当RB情報として使用されないRIVの値を、DMRSパターンの通知用に転用することにより、Rel.11以前と同等のPUSCHの周波数スケジューリングの自由度を保ったまま、基地局１００から端末２００へのReduced DMRSの指示が可能となる。
【０１７８】
（実施の形態３）
［通信システムの概要］
本実施の形態に係る通信システムは、実施の形態１（図６）と同様、基地局１００と１つ又は複数の端末２００とから構成される。
【０１７９】
ただし、本実施の形態では、実施の形態１と異なり、DMRSパターンを指示するDPIは用いられず、UL grantに含まれるA-SRSトリガビット（SRS request field）の値によってDMRSパターンが指示される。すなわち、複数のDMRSパターンは、基地局１００から端末２００へ送信される制御情報に含まれる既存のAperiodic SRSトリガビットの各値にそれぞれ対応付けられている。
【０１８０】
A-SRSトリガビットは、規定された送信可能タイミングにおけるA-SRSの送信を指示するためのビットである。すなわち、本実施の形態では、A-SRSトリガビットは、A-SRSの送信要求有無と、DMRSパターンとを同時に指示する。つまり、DMRSパターンは、既存のA-SRSトリガを用いて通知される。
【０１８１】
具体的には、端末２００には、指示され得る複数のDMRSパターンが予め通知され、かつ、A-SRSトリガビットに対応するDMRSパターンが予め通知されている。そして、端末２００は、基地局１００から通知されたA-SRSトリガビットの値に基づいて、A-SRSの送信タイミングを特定するとともに、当該A-SRSトリガビットに対応するDMRSパターンを、PUSCHサブフレームで用いるDMRSパターンとして決定する。なお、指示され得る複数のDMRSパターン、及び、A-SRSトリガビットの各値に対応するDMRSパターンは、基地局１００が端末２００に対して上位レイヤ等で予め通知してもよく、規定された組み合わせのみ使用してもよい。
【０１８２】
また、A-SRSトリガビットにより指示されるA-SRSの送信タイミングと、UL grantにより指示されるPUSCHの送信タイミングとは必ずしも同一でなくてもよい。例えば、A-SRSの送信タイミングはセル全体で共通のタイミングとし、PUSCHの送信タイミングはUL grantの受信から規定時間後のタイミングとしてもよい。こうすることで、上り回線データの遅延を抑えつつ、端末間のSRSの干渉制御を容易に行うことができる。
【０１８３】
［基地局１００の構成］
基地局１００の制御部１０１は、端末２００に対するPUSCHのサブフレーム割当を決定する。この際、制御部１０１は、端末２００に対するA-SRSの送信要求の有無、及び、端末２００へ通知するDMRSパターンの双方を考慮して、A-SRSトリガビットの値を決定する。
【０１８４】
［端末２００の構成］
端末２００の制御部２０５は、UL grantに含まれるA-SRSトリガビットの値に基づいて、次回のA-SRSの送信タイミングにおけるA-SRS送信の有無を判断し、SRS生成部２０９に指示する。更に、制御部２０５は、A-SRSトリガビットの値に基づいて、PUSCH送信時のDMRSパターンを決定する。
【０１８５】
［動作］
本実施の形態の基地局１００及び端末２００の動作について説明する。本実施の形態に係る基地局１００及び端末２００の処理フローは、ステップ（１）〜（４）とほぼ同様である。
【０１８６】
ただし、実施の形態１と異なり、本実施の形態では、UL grantにはDPIは含まれない。代わりに、基地局１００は、端末２００に指示するDMRSパターンに基づいてA-SRSトリガビットの値を設定し、端末２００は、UL grantに含まれるA-SRSトリガビットの値に基づいて、PUSCHサブフレームで使用されるDMRSパターンを決定する。
【０１８７】
なお、A-SRSトリガのビット数に応じて、端末２００が選択可能なDMRSパターンの個数は異なる。図２３Ａは、A-SRSトリガビットが１ビットの場合のDMRSパターンの通知例を示し、図２３Ｂは、A-SRSトリガビットが２ビットの場合のDMRSパターンの通知例を示す。
【０１８８】
例えば、図２３Ａ（１ビットの場合）に示すように、A-SRSトリガビットの値が0の場合、A-SRSの送信要求が無く（No trigger）、かつ、Legacy DMRSであることが指示される。また、A-SRSトリガビットの値が1の場合、A-SRSの送信要求が有り、かつ、Reduced DMRS pattern (1)であることが指示される。
【０１８９】
また、図２３Ｂ（２ビットの場合）に示すように、A-SRSトリガビットの値が00の場合、A-SRSの送信要求が無く、かつ、Legacy DMRSであることが指示され、A-SRSトリガビットの値が01の場合、A-SRSの送信要求が有り、かつ、Reduced DMRS pattern (1)であることが指示される。同様に、A-SRSトリガビットの値が10の場合、A-SRSの送信要求が有り、かつ、Legacy DMRSであることが指示され、A-SRSトリガビットの値が11の場合、A-SRSの送信要求が無く、かつ、Reduced DMRS pattern (2)であることが指示される。
【０１９０】
このように、端末２００は、UL grantに含まれるA-SRSトリガビットの値に応じて、A-SRS送信要求とDMRSパターンとを同時に指示される。また、A-SRSトリガビット数が複数の場合（例えば図２３Ｂ）、トリガビットの各値に異なるConfiguration（図２３では1st SRS parameter set及び2nd SRS parameter set）のA-SRS及びDMRSパターンが設定可能となる。また、A-SRSトリガビットの各値に対応するA-SRSのConfigurationとDMRSパターンとは、それぞれ独立に設定できるものとする。
【０１９１】
［効果］
このように、基地局１００及び端末２００は、A-SRSトリガビットの値とDMRSパターンとを対応付けることにより、DMRSパターンの通知・選択を行う。
【０１９２】
LTEでは、A-SRSの他に、トリガビット無しで周期的に送信されるPeriodic SRS(P-SRS)が規定されている。このP-SRSの送信周期が短周期の場合などには、A-SRSの送信要求の必要性が低いことが考えられる。A-SRSの送信要求の必要性が低い場合、本実施の形態のように、基地局１００及び端末２００は、A-SRSトリガビットをDMRSパターンの指示ビットとして流用することができる。こうすることで、オーバーヘッドを増加させることなく、実施の形態１と同様、Legacy DMRS及びReduced DMRSを含む複数のDMRSパターンの中から、端末２００に対して適切なDMRSパターンを選択することができる。
【０１９３】
（実施の形態４）
［通信システムの概要］
本実施の形態に係る通信システムは、実施の形態１（図６）と同様、基地局１００と１つ又は複数の端末２００とから構成される。
【０１９４】
ただし、本実施の形態では、実施の形態１と異なり、DMRSパターンを指示するDPIは用いられず、UL grantが送信される下り回線制御チャネル（PDCCH又は各EPDCCH set）に応じてDMRSパターンが切り替えられる。すなわち、複数のDMRSパターンは、基地局１００から端末２００へ送信される制御情報の送信に用いられる複数の制御チャネルにそれぞれ対応付けられている。
【０１９５】
具体的には、端末２００には、指示され得る複数のDMRSパターンが予め通知され、かつ、各制御チャネル（PDCCH及び各EPDCCH set）に対応するDMRSパターンが予め通知されている。そして、端末２００は、基地局１００から通知されるUL grantの送信に用いられた制御チャネルに対応するDMRSパターンを、PUSCHサブフレームで用いるDMRSパターンとして決定する。なお、指示され得る複数のDMRSパターン、及び、各制御チャネルに対応するDMRSパターンは、基地局１００が端末２００に対して上位レイヤ等で予め通知してもよく、規定された組み合わせのみ使用してもよい。
【０１９６】
［基地局１００の構成］
基地局１００の制御部１０１は、端末２００に対するPUSCHのサブフレーム割当を決定する。この際、制御部１０１は、端末２００に対する制御信号（UL grantを含む）をマッピングする制御チャネル（PDCCH及びEPDCCH set）、及び、端末２００へ通知するDMRSパターンの双方を考慮して、制御信号のマッピングを決定する。
【０１９７】
［端末２００の構成］
端末２００の制御部２０５は、UL grantが送信された制御チャネルがPDCCHであるか、EPDCCH setであるかに応じて、PUSCH送信時のDMRSパターンを決定する。
【０１９８】
［動作］
本実施の形態の基地局１００及び端末２００の動作について説明する。本実施の形態に係る基地局１００及び端末２００の処理フローは、ステップ（１）〜（４）とほぼ同様である。
【０１９９】
ただし、実施の形態１と異なり、本実施の形態では、UL grantにはDPIは含まれない。代わりに、基地局１００は、端末２００に指示するDMRSパターンに基づいてUL grantの送信に用いる制御チャネルを設定し、端末２００は、UL grantの送信に用いられる制御チャネル（PDCCH又はEPDCCH set）に基づいて、PUSCHサブフレームで使用されるDMRSパターンを決定する。
【０２００】
なお、EPDCCH setは１つのみが設定されてもよく、複数個設定されてもよい。図２４は、PDCCH及び３個のEPDCCH setが設定される場合のDMRSパターンの通知例を示す。
【０２０１】
図２４では、端末２００は、PDCCHに加え、３種類のEPDCCH setをブラインド復号する。そして、端末２００は、どの制御チャネルにおいてUL grantを復号することができたかによって、当該UL grantで指示されたPUSCH送信におけるDMRSパターンを決定する。
【０２０２】
例えば、図２４に示すように、UL grantがPDCCH又はEPDCCH set 1を用いて送信された場合、端末２００は、Legacy DMRSが指示されたと判断する。また、UL grantがEPDCCH set 2を用いて送信された場合、端末２００は、Reduced DMRS pattern (1)が指示されたと判断し、UL grantがEPDCCH set 3を用いて送信された場合、端末２００は、Reduced DMRS pattern (2)が指示されたと判断する。
【０２０３】
［効果］
このように、基地局１００及び端末２００は、UL grantが送信される制御チャネルとDMRSパターンとを対応付けることにより、DMRSパターンの通知・選択を行う。
【０２０４】
PDCCHは、カバレッジが広く、従来（Rel.8）からの端末にもサポートされているという特徴から、マクロセル基地局がUL grantの送信に用いる可能性が高い。一方、EPDCCHは、複数のset（Rel.11では２つのEPDCCH set）をブラインド復号対象として設定できる。これより、マクロセル基地局と小型セル基地局とに異なるEPDCCH setを対応付け、端末２００の状況に応じて異なる基地局からUL grantを送信する運用が考えられる。このように、端末２００と通信可能な複数の基地局（又は送受信ポイント）毎に、異なる制御チャネル（又は異なるEPDCCH set）が設定される運用が考えられる。
【０２０５】
例えば、図２４において、PDCCH及びEPDCCH set 1はカバレッジが大きく信頼性の高いマクロセル基地局からのUL grantの送信に用いられ、EPDCCH set 2及びEPDCCH set 3は近傍の小型セル基地局からのUL grantの送信に用いられる運用が考えられる。このような場合に、マクロセル基地局がUL grantの送信に用いる制御チャネル（PDCCH及びEPDCCH set 1）にはLegacy DMRS patternが対応付けられ、小型セル基地局がUL grantの送信に用いる制御チャネル（EPDCCH set 2,3）にはReduced DMRS patternが対応付けられる。
【０２０６】
このように、UL grantが送信される制御チャネルとDMRSパターンとを対応付けることにより、端末２００に対して、特定の基地局（送受信ポイント）と通信する場合にReduced DMRSを使用するような運用を実現できる。こうすることで、オーバーヘッドを増加させることなく、かつ、UL grantに含まれる制御ビットに制約を加えずに、DMRSパターンを適切に切り替えることができる。
【０２０７】
（実施の形態５）
［通信システムの概要］
本実施の形態に係る通信システムは、実施の形態１（図６）と同様、基地局１００と１つ又は複数の端末２００とから構成される。
【０２０８】
ただし、本実施の形態では、実施の形態１と異なり、DMRSパターンを指示するDPIは用いられず、UL grantに含まれるサイクリックシフト通知ビット（CS field。又はサイクリックシフト指標）の値によってDMRSパターンが指示される。すなわち、複数のDMRSパターンは、基地局１００から端末２００へ送信される制御情報に含まれる既存のCS fieldの各値にそれぞれ対応付けられている。
【０２０９】
CS fieldは、UL grantで指示されるPUSCHの送信時にDMRSに施されるサイクリックシフト量及びOCCの符号番号（OCC index）を指示するためのビットである。すなわち、本実施の形態では、CS fieldは、DMRSに施されるサイクリックシフト量及びOCCの符号番号と、DMRSパターンとを同時に指示する。つまり、DMRSパターンは、既存のCS fieldを用いて通知される。
【０２１０】
具体的には、端末２００には、指示され得る複数のDMRSパターンが予め通知され、かつ、各CS fieldに対応するDMRSパターンが予め通知されている。そして、端末２００は、基地局１００から通知されたCS fieldの値に基づいて、サイクリックシフト量及びOCCの符号番号を特定するとともに、当該CS fieldに対応するDMRSパターンを、PUSCHサブフレームで用いられるDMRSパターンとして決定する。なお、指示され得る複数のDMRSパターン、及び、CS fieldの各値に対応するDMRSパターンは、基地局１００が端末２００に対して上位レイヤ等で予め通知してもよく、規定された組み合わせのみ使用してもよい。
【０２１１】
［基地局１００の構成］
基地局１００の制御部１０１は、端末２００に対するPUSCHのサブフレーム割当を決定する。この際、制御部１０１は、端末２００に対するDMRSのサイクリックシフト量、OCCの符号番号、及び、端末２００へ通知するDMRSパターンの双方を考慮して、CS fieldの値を決定する。
【０２１２】
［端末２００の構成］
端末２００の制御部２０５は、UL grantに含まれるCS fieldの値に基づいて、DMRSに施されるサイクリックシフト量及びOCCの符号番号を特定し、DMRS生成部２０８に指示する。更に、制御部２０５は、CS fieldの値に基づいて、PUSCH送信時のDMRSパターンを決定し、DMRS生成部２０８に指示する。
【０２１３】
［動作］
本実施の形態の基地局１００及び端末２００の動作について説明する。本実施の形態に係る基地局１００及び端末２００の処理フローは、ステップ（１）〜（４）とほぼ同様である。
【０２１４】
ただし、実施の形態１と異なり、本実施の形態では、UL grantにはDPIは含まれない。代わりに、基地局１００は、端末２００に指示するDMRSパターンに基づいてCS fieldの値を設定し、端末２００は、UL grantに含まれるCS fieldの値に基づいて、PUSCHサブフレームで使用されるDMRSパターンを決定する。
【０２１５】
図２５は、CS field（３ビット）を用いたDMRSパターンの通知例を示す。図２５において、λはレイヤ番号を表す。また、CS fieldによって通知可能なサイクリックシフト量は０〜１１であり、OCCの符号番号は０及び１である。また、OCCの符号番号０は［+1 +1］に対応し、OCCの符号番号１は［+1 -1］に対応する。
【０２１６】
図２５に示すように、CS fieldの値が000、001、010、111の場合がLegacy DMRSに対応付けられ、CS fieldの値が011、100の場合がReduced DMRS pattern (1)に対応付けられ、CS fieldの値が101、110の場合がReduced DMRS pattern (2)に対応付けられている。
【０２１７】
［効果］
このように、基地局１００及び端末２００は、A-SRSトリガビットの値とDMRSパターンとを対応付けることにより、DMRSパターンの通知・選択を行う。
【０２１８】
Reduced DMRSは、端末２００が小型セル基地局に接続している場合、及び、チャネル品質が十分に良い場合に使用される可能性が高い。このような端末数は少なく、かつ、他セル干渉が小さい状況であることが想定される。言い換えると、Reduced DMRSは、CS及びOCCを用いて直交化及び干渉制御を行う必要性が低い状況で使用される可能性が高い。したがって、CS fieldを用いてCS/OCCと同時に、DMRSパターンを指示することで、CS/OCCの通知に一定の制約が生じるものの、この制約によるデメリットの影響はほぼ無く、DMRSパターンを適切に切り替えることができる。また、既存のCS fieldを用いてDMRSパターンの通知が行われるので、新規ビットの追加は無く、オーバーヘッドの増加が生じない。
【０２１９】
なお、本実施の形態において、Legacy DMRS以外のDMRSパターン（つまり、Reduced DMRSパターンの何れか）を用いるのを、レイヤ数（送信ランク）が１の場合（すなわちλ=0の場合）のみに限定してもよい。具体的には、端末２００（制御部２０５）は、レイヤ数（送信ランク）が１の場合、CS fieldに基づいて、端末２００が使用する特定のDMRSパターンを決定し、レイヤ数（送信ランク）が２以上の場合、CS fieldの値に依らず、Legacy DMRS patternを端末２００が使用する特定のDMRSパターンとして決定する。
【０２２０】
図２６は、図２５に示すCS fieldにおいて、Reduced DMRSパターンの使用をλ=0（レイヤ数１）のみに限定した場合を示す。図２６において、Reduced DMRSが対応付けられたCS fieldでは、レイヤ数が１（λ=0）の場合には、対応付けられたReduced DMRSが用いられるが、レイヤ数が２以上（λ=1〜3）の場合には、対応付けられたReduced DMRSではなく、Legacy DMRSが用いられる。
【０２２１】
レイヤ数が多い場合、異なるレイヤから複数のデータを同一の時間／周波数リソースで同時送信（多重）することにより高いスループットを実現できる。このとき、DMRSも多重されるので、チャネル推定誤差の影響を受けやすくなる。よって、レイヤ数が多い場合には、レイヤ数１の場合と同様にして、Reduced DMRSを用いることでスループットの更なる向上が期待できるものの、これによる僅かなリソース効率改善よりも、チャネル推定を精度良く行い、再送無しでデータを正しく受信させることを優先させることが望ましい。また、レイヤ数が多い場合には、Reduced DMRSに依らなくても、高いデータレートの達成が可能である。よって、図２６に示すように、レイヤ数に応じてDMRSパターンを切り替えることにより、レイヤ数に応じた適切なDMRSを用いることができる。
【０２２２】
なお、UL grantのFormat又はUL grantが送信されたサーチスペースに応じて、DMRSを変える、としても上述した本実施の形態と同様のことが実現できる。例えばUL grantには、1レイヤ送信を指示するDCI format 0と、2レイヤ以上を指示可能なDCI format 4がある。したがって、1レイヤ送信を指示するUL grant(例えばDCI format 0)では、CS fieldの値に関わらずLegacy DMRSを用い、2レイヤ送信以上を指示可能なUL grant(例えばDCI format 4)では、一部のCS fieldの値の場合にReduced DMRSを用いる、としてもよい。あるいは、UL grantを送信する制御チャネルには、1レイヤ送信を指示する共通サーチスペース(CSS（Common Search Space）)と2レイヤ以上を指示可能な端末個別サーチスペース(USS（UE specific Search Space）)がある。したがって、1レイヤ送信を指示するサーチスペース(CSS)では、CS fieldの値に関わらずLegacy DMRSを用い、2レイヤ送信以上を指示可能なサーチスペース(USS)では、一部のCS fieldの値の場合にReduced DMRSを用いる、としてもよい。
【０２２３】
（実施の形態６）
本実施の形態に係る通信システムは、実施の形態１（図６）と同様、基地局１００と１つ又は複数の端末２００とから構成される。
【０２２４】
ただし、本実施の形態では、実施の形態１と異なり、DMRSパターンを指示するDPIは、UL grantに含まれず、制御チャネルにおいてUL grantとは異なる制御信号として送信される。
【０２２５】
以下の説明では、DPIが２ビットの場合の制御信号をDCI format 3dと呼び、DPIが１ビットの場合の制御信号をDCI format 3dAと呼ぶ。
【０２２６】
具体的には、基地局１００は、DPIとしてDCI format 3d又はDCI format 3dAを送信する。一方、端末２００は、DCI format 3d/3dAをそれぞれブラインド復号して、DCI format 3d/3dAを正しく復号でき、端末２００宛のDPIが含まれていた場合、当該DPIによって指示されるDMRSパターンを用いる。
【０２２７】
なお、基地局１００は、端末２００に対して、DCI format 3d/3dAの使用、及び、DCI format 3d/3dAのDPIで指示されるDMRSパターンを予め通知する。また、基地局１００は、端末２００に対して、DCI format 3d/3dAを復号するのに必要な疑似端末IDを予め通知する。疑似端末IDは、複数の端末２００間で共通の値であってもよい。そして、基地局１００は、UL grantとともにDCI format 3d/3dAを送信する。このDCI format 3d/3dAには、１つ又は複数の端末２００宛のDPIが含まれており、疑似端末IDでマスキングされたCRCビットが付加されている。すなわち、基地局１００から端末２００へ送信される制御信号には、DPI及びUL grantが含まれ、DPIには、UL grantに対するマスキング（スクランブリング）とは異なるマスキングが施される。
【０２２８】
端末２００は、UL grantに加えて、DCI format 3d/3dAをブラインド復号する。この際、端末２００は、UL grantに対して、端末２００の端末IDでマスキングされたCRCを用いて復号の成否を判断し、DCI format 3d/3dAに対して、疑似端末IDでマスキングされたCRCを用いて復号の成否を判断する。UL grantの復号成功と同時に、DCI format 3d/3dAの復号に成功した場合、端末２００は、DCI format 3d/3dAに含まれる端末２００宛のDPIの値に応じてDMRSパターンを選択し、UL grantによって割り当てられたPUSCHを送信する。
【０２２９】
基地局１００は、端末２００が送信したPUSCHを受信し、PUSCHを復号する。なお、基地局１００は、端末２００においてDCI format 3d/3dAが正しく復号されたか判断できないので、Legacy DMRS及びDPIで指示したDMRSパターンの何れかを用いてPUSCHが送信されたものと仮定し、PUSCHの復号を順次行う。
【０２３０】
このように、本実施の形態では、UL grantとは別のスクランブリングが施された制御信号（DCI format 3/3A）を用いてDPIが送受信され、DPIの値に応じてDMRSパターンが切り替えられる。
【０２３１】
こうすることで、Rel.11以前のUL grantをそのまま使用しつつ、Reduced DMRSを別途通知することができるので、基地局１００は、Legacy DMRSを用いる端末をRel.11以前のスケジューラで運用し、Reduced DMRSを用いる端末に対してのみ、独立した制御信号でDMRSパターンを通知できる。すなわち、従来の基地局１００のスケジューラにDCI format 3d/3dAの機能を追加するだけで、Reduced DMRSの通知が実現可能となるので、基地局１００の実装が容易になる。
【０２３２】
なお、端末２００がReduced DMRSを用いる場合には、Legacy DMRSを用いる場合よりも多くの送信データが送信される。この際、端末２００は、送信データをLegacy DMRSを用いる場合と同様にして（すなわち、Reduced DMRSにより空白となったリソースを避けて）マッピングし、マッピングしきれなかった送信データを、Reduced DMRSにより空白となったリソースにマッピングしてもよい。図２７は、データマッピング順序の一例を示す。Reduced DMRSが用いられる場合、送信データの量はDMRSパターンに合わせて決定される。この際、図２７に示すように、まず、サブフレーム先頭からLegacy DMRSの場合と同様にデータがマッピングされる。Reduced DMRSとなった分だけマッピングしきれないデータが生じるので、最後に、マッピングしきれないデータがReduced DMRSにより空白となったリソースにマッピングされる。
【０２３３】
これにより、Reduced DMRSにより新たにデータがマッピングされるリソース（がReduced DMRSにより空白となったリソース）以外のリソースでは、Legacy DMRSの時と同一のデータマッピング順序となる。したがって、基地局１００は、端末２００がDCI format 3d/3dAを正しく復号したか否か(すなわち、Legacy DMRSかそうでないDMRSか)を判断できない場合でも、複数の異なるデータマッピングパターンを考慮して複数のデータマッピング順序に従ってデータを復号する必要がなくなる。また、基地局１００は、端末２００がLegacy DMRSのパターンでPUSCHを送信したとしても、Reduced DMRSを想定したデータマッピング順序でデータを正しく復号できる可能性がある。こうすることで、基地局１００における受信機構成を簡易にすることができ、かつ、復号にかかる処理遅延を短縮できる。
【０２３４】
以上、本発明の実施の形態について説明した。
【０２３５】
（他の実施の形態）
［１］下り回線データに対するACK/NACK応答信号及びUL grantで指示されたPUSCHの送信が同一タイミングの場合、ACK/NACK応答信号は、PUSCHのサブフレーム内のデータに置き換えて挿入される。このACK/NACK応答信号には高い判定精度（低い誤り率）が要求されるので、ACK/NACK応答信号は、Rel.11以前ではDMRSに隣接するSC-FDMAシンボルにマッピングされると定められていた。一方、Reduced DMRSを用いると、一部のDMRSがデータに置き換わるため、ACK/NACK応答信号をDMRSに隣接するSC-FDMAシンボルにマッピングできずに、ACK/NACK応答信号の判定に対するチャネル推定精度が確保できないという可能性がある。図２８は、Legacy DMRS（図２８Ａ）及び或るReduced DMRSパターン（図２８Ｂ）においてACK/NACK応答信号がPUSCH内にマッピングされる例を示す。例えば、図２８Ｂでは、図４Ｂに示すReduced DMRS pattern (1)が用いられ、ACK/NACK応答信号がDMRSから離れた場所にマッピングされてしまうことがわかる。
【０２３６】
そこで、端末２００は、PUSCHにACK/NACK応答信号が多重される場合には、Reduced DMRSが指示された場合でも、常にLegacy DMRSを用いてもよい。こうすることで、ACK/NACK応答信号の判定に対するチャネル推定精度をRel.11以前と同等にすることができる。
【０２３７】
又は、PUSCHにACK/NACK応答信号が多重される場合に使用できるReduced DMRSを、ACK/NACK応答信号に隣接するSC-FDMAにDMRSが配置されるパターンのみに限定してもよい。ACK/NACK応答信号に隣接するSC-FDMAにDMRSが配置されるパターンとは、例えば、図４Ｄに示すReduced DMRS pattern (3)である。こうすることで、ACK/NACK応答信号の判定に対するチャネル推定精度の劣化を抑えることができる。
【０２３８】
又は、Reduced DMRSを用いる場合には、ACK/NACK応答信号の配置場所を変更してもよい。例えば、図２８Ｂの場合には、Reduced DMRSにおいて残されたDMRSの周辺に集中してACK/NACK応答信号をマッピングさせればよい。こうすることで、ACK/NACK応答信号の判定に対するチャネル推定精度を確保しつつ、Reduced DMRSを柔軟に使用することができる。
【０２３９】
［２］また、上記実施の形態では、本発明をハードウェアで構成する場合を例にとって説明したが、本発明はハードウェアとの連携においてソフトウェアで実現することも可能である。
【０２４０】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２４１】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０２４２】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０２４３】
本開示の通信装置は、  PUSCH（Physical Uplink Shared Channel）の割当のために使用される制御情報であって、上り回線のDMRS（Demodulation Reference Signal）のリソース・エレメントへの配置を決定する前記制御情報を、端末に送信する送信部と、前記制御情報に基づいて前記リソース・エレメントに配置され、前記PUSCHと多重して送信された前記DMRS（Demodulation Reference Signal）を前記端末から受信する受信部と、受信された前記DMRSに基づいてチャネル推定を行う回路部と、を具備する構成を採る。
【０２４４】
本開示の通信装置では、前記制御情報に基づいて、複数の配置パターンのうちの一つの配置が決定され、前記複数の配置パターンは、前記DMRSを配置するリソース・エレメント数が異なる少なくとも２つの配置パターンを含む。
【０２４５】
本開示の通信装置では、前記制御情報に基づいて、複数の配置パターンのうちの一つの配置が決定され、前記複数の配置パターンは、前記DMRSを配置するシンボル数が異なる少なくとも２つの配置パターンを含む。
【０２４６】
本開示の通信装置では、前記制御情報に基づいて、複数の配置パターンのうちの一つの配置が決定され、前記複数の配置パターンは、１スロット又は１サブフレームあたりの前記DMRSを配置するシンボル数が異なる少なくとも２つの配置パターンを含む。
【０２４７】
本開示の通信装置では、前記制御情報に基づいて、複数の配置パターンのうちの一つの配置が決定され、前記複数の配置パターンは、前記DMRSを配置するリソースが、LTE-Aリリース11において上り回線のDMRSが配置されるリソースよりも少ない配置パターンを含む。
【０２４８】
本開示の通信装置では、前記制御情報に基づいて、複数の配置パターンのうちの一つの配置が決定され、前記複数の配置パターンを、上位レイヤで前記端末に通知する。
【０２４９】
本開示の通信装置では、前記制御情報に基づいて、複数の配置パターンのうちの一つの配置が決定され、前記PUSCHが割り当てられた周波数帯域幅よりも短い系列長の前記DMRSを配置する配置パターンを含む。
【０２５０】
本開示の通信装置では、前記制御情報に基づいて、複数の配置パターンのうちの一つの配置が決定され、前記複数の配置パターンは、ホッピングする又はホッピングしない、を含む。
【０２５１】
本開示の通信装置では、前記制御情報は、サイクリックシフト及び直交符号を決定するための情報を含み、前記受信部は、決定された前記サイクリックシフト及び前記直交符号に基づいて生成された前記DMRSを受信する。
【０２５２】
本開示の通信装置では、  ACK/NACKが前記PUSCHと多重して送信される場合、前記受信部は、決定された前記配置に基づいて配置される前記DMRSに隣接して配置された前記ACK/NACKを受信する。
【０２５３】
本開示の通信方法は、PUSCH（Physical Uplink Shared Channel）の割当のために使用される制御情報であって、上り回線のDMRS（Demodulation Reference Signal）のリソース・エレメントへの配置を決定する前記制御情報を、端末に送信し、前記制御情報に基づいて前記リソース・エレメントに配置され、前記PUSCHと多重して送信された前記DMRS（Demodulation Reference Signal）を前記端末から受信し、受信された前記DMRSに基づいてチャネル推定を行う。
【０２５４】
本開示の集積回路は、PUSCH（Physical Uplink Shared Channel）の割当のために使用される制御情報であって、上り回線のDMRS（Demodulation Reference Signal）のリソース・エレメントへの配置を決定する前記制御情報を、端末に送信する処理と、前記制御情報に基づいて前記リソース・エレメントに配置され、前記PUSCHと多重して送信された前記DMRS（Demodulation Reference Signal）を前記端末から受信する処理と、受信された前記DMRSに基づいてチャネル推定を行う処理と、を制御する。
【産業上の利用可能性】
【０２５５】
本発明は、移動体通信システムに適用できる。
【符号の説明】
【０２５６】
１００  基地局
２００  端末
１１  制御信号生成部
１２，２５  送信部
１３，２１  受信部
１４，１１４  チャネル推定部
１５  受信信号処理部
１０１，２３，２０５  制御部
１０２  制御情報生成部
１０３，２０６  符号化部
１０４，２０７  変調部
１０５，２１２  マッピング部
１０６，２１３  IFFT部
１０７，２１４  CP付加部
１０８，２１５  無線送信部
１０９，２０１  無線受信部
１１０，２０２  ＣＰ除去部
１１１，２０３  FFT部
１１２  デマッピング部
１１３  CSI測定部
１１５  等化部
１１６  IDFT部
１１７  復調部
１１８  復号部
１１９  判定部
２２，２０４  制御信号抽出部
２４，２０８  DMRS生成部
２０９  SRS生成部
２１０  多重部
２１１  DFT部
【図１】
2020022191.tif 000004
【図２】
2020022191.tif 000005
【図３】
2020022191.tif 000006
【図４】
2020022191.tif 000007
【図５】
2020022191.tif 000008
【図６】
2020022191.tif 000009
【図７】
2020022191.tif 000010
【図８】
2020022191.tif 000011
【図９】
2020022191.tif 000012
【図１０】
2020022191.tif 000013
【図１１】
2020022191.tif 000014
【図１２】
2020022191.tif 000015
【図１３】
2020022191.tif 000016
【図１４】
2020022191.tif 000017
【図１５】
2020022191.tif 000018
【図１６】
2020022191.tif 000019
【図１７】
2020022191.tif 000020
【図１８】
2020022191.tif 000021
【図１９】
2020022191.tif 000022
【図２０】
2020022191.tif 000023
【図２１】
2020022191.tif 000024
【図２２】
2020022191.tif 000025
【図２３】
2020022191.tif 000026
【図２４】
2020022191.tif 000027
【図２５】
2020022191.tif 000028
【図２６】
2020022191.tif 000029
【図２７】
2020022191.tif 000030
【図２８】
2020022191.tif 000031